(57)【要約】【課題】  シナリオ再生装置に供給されるシナリオファイルや画像ファイルを容易に作成することのできる技術を提供する。【解決手段】  シナリオ作成装置は、所定形式の画像ファイルのみを再生可能なシナリオ再生装置に供給されるシナリオファイルを作成する。シナリオ作成装置は、ポインティングデバイスを含む入力部と、表示部と、シナリオファイルを作成するためのシナリオ作成部と、を備えている。シナリオ作成部は、表示部に、シナリオ作成部に処理を実行させるための実行用アイコンを表示させる。ポインティングデバイスの操作により、ページ毎のシナリオ情報と画像情報とを含む所定形式の素材ファイルのファイルアイコンが実行用アイコンにドラッグ・アンド・ドロップされると、シナリオ情報に基づいてシナリオファイルを作成し、画像情報に基づいて所定形式の画像ファイルを生成する。【選択図】  図４
2011129140.tif 000002
【特許請求の範囲】
【請求項１】
ページ毎に画像を順次表示させるためのシナリオファイルに従って所定形式の画像ファイルのみを再生可能なシナリオ再生装置に供給される前記シナリオファイルを作成するためのシナリオ作成装置であって、
ポインティングデバイスを含む入力部と、
表示部と、
前記入力部の操作に従って前記シナリオファイルを作成するためのシナリオ作成部と、
を備え、
前記シナリオ作成部は、
前記表示部に、前記シナリオ作成部に処理を実行させるための実行用アイコンを表示させ、前記ポインティングデバイスの操作により、ページ毎のシナリオ情報と画像情報とを含む所定形式の素材ファイルのファイルアイコンが前記実行用アイコンにドラッグ・アンド・ドロップされると、前記シナリオ情報に基づいて前記シナリオファイルを作成し、前記画像情報に基づいて前記所定形式の画像ファイルを生成することを特徴とするシナリオ作成装置。
【請求項２】
ポインティングデバイスを含む入力部と、表示部と、を備えるシナリオ作成装置において、ページ毎に画像を順次表示させるためのシナリオファイルに従って所定形式の画像ファイルのみを再生可能なシナリオ再生装置に供給される前記シナリオファイルを作成するためのシナリオ作成方法であって、
（ａ）前記表示部に、前記シナリオ作成部に処理を実行させるための実行用アイコンを表示させる工程と、
（ｂ）前記ポインティングデバイスの操作により、ページ毎のシナリオ情報と画像情報とを含む所定形式の素材ファイルのファイルアイコンが前記実行用アイコンにドラッグ・アンド・ドロップされると、前記シナリオ情報に基づいて前記シナリオファイルを作成し、前記画像情報に基づいて前記所定形式の画像ファイルを生成する工程と、
を備えることを特徴とするシナリオ作成方法。
【請求項３】
ポインティングデバイスを含む入力部と、表示部と、を備えるシナリオ作成装置において、ページ毎に画像を順次表示させるためのシナリオファイルに従って所定形式の画像ファイルのみを再生可能なシナリオ再生装置に供給される前記シナリオファイルを作成するためのコンピュータプログラムを記録したコンピュータ読み取り可能な記録媒体であって、
前記表示部に、前記シナリオ作成部に処理を実行させるための実行用アイコンを表示させる機能と、
前記ポインティングデバイスの操作により、ページ毎のシナリオ情報と画像情報とを含む所定形式の素材ファイルのファイルアイコンが前記実行用アイコンにドラッグ・アンド・ドロップされると、前記シナリオ情報に基づいて前記シナリオファイルを作成し、前記画像情報に基づいて前記所定形式の画像ファイルを生成する機能と、
をコンピュータに実現させるためのコンピュータプログラムを記録したコンピュータ読み取り可能な記録媒体。
【請求項４】
ページ毎に画像を順次表示させるためのシナリオファイルを作成するためのシナリオ作成装置であって、
ポインティングデバイスを含む入力部と、
表示部と、
前記入力部の操作に従って前記シナリオファイルを作成するためのシナリオ作成部と、
を備え、
前記シナリオ作成部は、
前記表示部に、素材ファイルを表示するためのファイル管理領域と、前記ファイル管理領域においてユーザによって選択された素材ファイルの情報である選択素材ファイル情報をユーザによって指定された順序で表示する選択素材ファイル情報領域と、を含むシナリオファイル作成領域を表示させ、前記選択素材ファイル情報領域内の表示内容に応じて、前記シナリオファイルを作成することを特徴とするシナリオ作成装置。
【請求項５】
請求項４記載のシナリオ作成装置であって、
前記シナリオ作成部は、複数の素材ファイルを指定する前記シナリオファイルを作成可能である、シナリオ作成装置。
【請求項６】
請求項５記載のシナリオ作成装置であって、
前記選択素材ファイル情報は、前記ポインティングデバイスの操作により、前記ファイル管理領域に表示される素材ファイルのファイルアイコンが前記選択素材ファイル情報領域内にドラッグ・アンド・ドロップされることにより、前記選択素材ファイル情報領域に表示される、シナリオ作成装置。
【請求項７】
請求項６記載のシナリオ作成装置であって、
前記選択素材ファイル情報は、選択された素材ファイル内のページを指定するページ指定情報を含む、シナリオ作成装置。
【請求項８】
請求項７記載のシナリオ作成装置であって、
前記シナリオ作成領域は、さらに、
前記ファイル管理領域内に表示されるページ毎のシナリオ情報と画像情報とを含む所定形式の素材ファイルについて、ページ毎の前記画像情報をページ毎に縮小画像で表示する縮小画像表示領域を含んでおり、
前記ページ指定情報を含む前記選択素材ファイル情報は、前記ポインティングデバイスの操作により、前記縮小画像表示領域に表示されるページ毎の縮小画像が前記選択素材ファイル情報領域にドラッグ・アンド・ドロップされることにより、前記選択素材ファイル情報領域に表示される、シナリオ作成装置。
【請求項９】
請求項４ないし８のいずれかに記載のシナリオ作成装置であって、さらに、
ネットワークと接続するためのネットワークインタフェース部を備え、
前記シナリオ作成部は、前記ネットワークに接続された他の外部装置内に格納された素材ファイルを選択して、前記シナリオファイルを作成する、シナリオ作成装置。
【請求項１０】
請求項４ないし９のいずれかに記載のシナリオ作成装置であって、さらに、
前記シナリオ作成部によって作成された前記シナリオファイルを、シナリオ再生装置に供給するためのシナリオ供給部を備え、
前記シナリオ供給部は、前記シナリオファイルを作成する際に選択された素材ファイルを前記シナリオ再生装置に供給しない、シナリオ作成装置。
【請求項１１】
ページ毎に画像を順次表示させるためのシナリオファイルに従って画像を投写表示するプロジェクタであって、
メモリに記憶された前記シナリオファイルに従って、素材ファイルを読み出し、投写表示されるページ毎の画像を表すページ画像データを準備するページ画像処理部と、
前記ページ画像データに応じて画像光を形成する電気光学装置と、
前記電気光学装置で得られた画像光を投写する投写光学系と、
を備え、
前記ページ画像処理部は、複数形式の前記素材ファイルに基づいて前記ページ画像データを準備することを特徴とするプロジェクタ。
【請求項１２】
請求項１１記載のプロジェクタであって、さらに、
ネットワークと接続するためのネットワークインタフェース部を備え、
前記ページ画像処理部は、
前記ネットワークインタフェース部を介して、前記ネットワークに接続された他の外部装置に格納された素材ファイルを、前記シナリオファイルに従って読み出す、プロジェクタ。
【請求項１３】
請求項１１または１２記載のプロジェクタであって、さらに、
前記メモリに前記シナリオファイルを供給するためのシナリオ供給装置を備える、プロジェクタ。
【請求項１４】
請求項１３記載のプロジェクタであって、
前記シナリオ供給装置は、
ポインティングデバイスを含む入力部と、
表示部と、
準備された前記シナリオファイルを前記メモリに供給するためのシナリオ供給部と、
を備え、
前記シナリオ供給部は、
前記表示部に、前記シナリオ供給部に処理を実行させるための実行用アイコンを表示させ、前記ポインティングデバイスの操作により、シナリオファイルのファイルアイコンが前記実行用アイコンにドラッグ・アンド・ドロップされると、前記シナリオファイルを前記メモリに供給する、プロジェクタ。
【請求項１５】
請求項１４記載のプロジェクタであって、
前記シナリオ供給装置は、さらに、
ユーザによる前記ポインティングデバイスの操作を検出し、検出結果に基づいて操作情報を生成する操作情報生成部を備え、
前記操作情報生成部は、前記シナリオ供給部が前記シナリオファイルを前記メモリに供給すると、前記ポインティングデバイスの操作に伴う操作情報を生成するための領域である操作情報生成領域を表示させ、前記操作情報生成領域内に、前記ポインティングデバイスに対応するポインタ画像が表示される場合にのみ、前記ポインティングデバイスの操作に伴う前記操作情報を生成して前記ページ画像処理部に供給し、
前記ページ画像処理部は、
供給された前記シナリオファイルに従って前記ページ画像データを準備するとともに、前記操作情報に基づいて、前記ページ画像データと装飾画像データとを合成し、前記ページ画像データによって表されるページ画像内の所定の位置に前記装飾画像データによって表される装飾画像を重畳する、プロジェクタ。
【請求項１６】
請求項１３ないし１５のいずれかに記載のプロジェクタであって、
前記ページ画像処理部は、
前記メモリ内に前記シナリオファイルが供給されると、自動的に前記シナリオファイルに従った処理を開始する、プロジェクタ。
【請求項１７】
画像を投写表示するプロジェクタであって、
ページ毎のシナリオ情報と画像情報とを含む素材ファイルを供給するための素材ファイル供給装置と、
前記素材ファイル供給装置から供給され、メモリに記憶された前記素材ファイルを読み出し、前記シナリオ情報に従って、前記画像情報によって表されるページ毎の画像を表すページ画像データを準備するページ画像処理部と、
前記ページ画像データに応じて画像光を形成する電気光学装置と、
前記電気光学装置で得られた画像光を投写する投写光学系と、
を備え、
前記素材ファイル供給装置は、
ポインティングデバイスを含む入力部と、
表示部と、
前記素材ファイルを前記メモリに供給するための素材ファイル供給部と、
を備え、
前記素材ファイル供給部は、
前記表示部に、前記素材ファイル供給部に処理を実行させるための実行用アイコンを表示させ、前記ポインティングデバイスの操作により、前記素材ファイルのファイルアイコンが前記実行用アイコンにドラッグ・アンド・ドロップされると、前記素材ファイルを前記メモリに供給することを特徴とするプロジェクタ。
【請求項１８】
請求項１７記載のプロジェクタであって、
前記素材ファイル供給装置は、さらに、
ユーザによる前記ポインティングデバイスの操作を検出し、検出結果に基づいて操作情報を生成する操作情報生成部を備え、
前記操作情報生成部は、前記素材ファイル供給部が前記素材ファイルを前記メモリに供給すると、前記ポインティングデバイスの操作に伴う操作情報を生成するための領域である操作情報生成領域を表示させ、前記操作情報生成領域内に、前記ポインティングデバイスに対応するポインタ画像が表示される場合にのみ、前記ポインティングデバイスの操作に伴う前記操作情報を生成して前記ページ画像処理部に供給し、
前記ページ画像処理部は、
供給された前記素材ファイルを用いて前記ページ画像データを準備するとともに、前記操作情報に基づいて、前記ページ画像データと装飾画像データとを合成し、前記ページ画像データによって表されるページ画像内の所定の位置に前記装飾画像データによって表される装飾画像を重畳する、プロジェクタ。
【請求項１９】
請求項１７または１８記載のプロジェクタであって、
前記ページ画像処理部は、
前記メモリ内に前記素材ファイルが供給されると、自動的に前記素材ファイルの前記シナリオ情報に従った処理を開始する、プロジェクタ。
【請求項２０】
ポインティングデバイスを含む入力部と、表示部と、を備えるシナリオ作成装置において、ページ毎に画像を順次表示させるためのシナリオファイルを作成するためのシナリオ作成方法であって、
（ａ）前記表示部に、素材ファイルを表示するためのファイル管理領域と、前記ファイル管理領域においてユーザによって選択された素材ファイルの情報である選択素材ファイル情報をユーザによって指定された順序で表示する選択素材ファイル情報領域と、を含むシナリオファイル作成領域を表示させる工程と、
（ｂ）前記選択素材ファイル情報領域内の表示内容に応じて、前記シナリオファイルを作成する工程と、
を備えることを特徴とするシナリオ作成方法。
【請求項２１】
ポインティングデバイスを含む入力部と、表示部と、を備えるシナリオ作成装置において、ページ毎に画像を順次表示させるためのシナリオファイルを作成するためのコンピュータプログラムを記録したコンピュータ読み取り可能な記録媒体であって、
前記表示部に、素材ファイルを表示するためのファイル管理領域と、前記ファイル管理領域においてユーザによって選択された素材ファイルの情報である選択素材ファイル情報をユーザによって指定された順序で表示する選択素材ファイル情報領域と、を含むシナリオファイル作成領域を表示させる機能と、
前記選択素材ファイル情報領域内の表示内容に応じて、前記シナリオファイルを作成する機能と、
をコンピュータに実現させるためのコンピュータプログラムを記録したコンピュータ読み取り可能な記録媒体。
【請求項２２】
データファイルを格納するファイルサーバ、プロジェクタ、および計算機がネットワークを介して相互に接続されている画像表示システムであって、
前記計算機は、
データ、コマンドを入力するための入力手段と、
前記プロジェクタによって表示させるデータファイルを格納するデータファイル格納手段と、
前記入力手段を介して、前記データファイル格納手段から前記ファイルサーバへ所望のデータファイルを転送する要求が発生したか否かを判定する転送要求判定手段と、
前記データファイルの転送要求が発生したと判定した場合には、前記データファイルの転送先情報を含むと共に前記データファイルよりもファイルサイズの小さいインデックスファイルを生成するインデックスファイル生成手段と、
前記データファイルおよび前記インデックスファイルを前記ファイルサーバおよび前記プロジェクタにそれぞれ送出する送出手段と、
を備え、
前記プロジェクタは、
前記転送されたインデックスファイルを受け取り、格納するインデックスファイル格納手段と、
前記インデックスファイル格納装置に格納されたインデックスファイルを用いて、表示を望むデータファイルを決定するためのデータファイル決定画面を生成する決定画面生成手段と、
前記データファイル決定画面を介して決定されたデータファイルに対応する前記インデックスファイルに含まれている転送先情報に基づき、前記ファイルサーバを特定し、データファイルの転送を要求する転送要求手段と、
前記転送を要求したデータファイルを受け取り、投写表示させる投写表示手段と、
を備えることを特徴とする画像表示システム。
【請求項２３】
請求項２２記載の画像表示システムであって、
前記転送先情報には、前記データファイルの転送場所、ファイル名が含まれる、画像表示システム。
【請求項２４】
請求項２２または２３記載の画像表示システムであって、
前記インデックスファイルは、前記転送先情報の他に、パスワード情報を含む、画像表示システム。
【請求項２５】
請求項２４記載の画像表示システムであって、
前記プロジェクタの前記転送要求手段は、さらに、パスワードの入力を要求し、入力されたパスワードが前記パスワード情報と符合する場合には、前記ファイルサーバに対して前記決定されたデータファイルの転送を要求する、画像表示システム。
【請求項２６】
請求項２２ないし２５のいずれかに記載の画像表示システムであって、
前記計算機は、さらに、
前記データファイル格納手段に格納されているデータファイルの一覧、および前記プロジェクタのアイコンを表示する表示画面装置を備え、
前記転送要求判定手段は、前記表示画面装置の表示画面上において前記格納されているデータファイルの一覧から前記所望のデータファイルのアイコンが、前記プロジェクタのアイコンへドラッグ・アンド・ドロップされると、転送要求が発生したものと判定する、画像表示システム。
【請求項２７】
計算機にて生成したデータファイルを転送する方法であって、
転送するデータファイルを決定し、
前記決定したデータファイルの転送要求が発生したか否かを判定し、
前記決定したデータファイルの転送要求が発生したと判定した場合には、前記決定したデータファイルの保存場所情報を含むと共に前記データファイルよりもファイルサイズの小さいインデックスファイルを生成し、
前記決定されたデータファイルを保存先としての記憶装置に転送し、
前記インデックスファイルをプロジェクタに転送することを特徴とするデータファイルの転送方法。
【請求項２８】
請求項２７記載のデータファイルの転送方法であって、
前記計算機の表示画面上において前記記憶装置のアイコンへ前記決定されたデータファイルのアイコンのドラッグ・アンド・ドロップが発生した場合には、前記記憶装置への前記データの転送要求が発生したと判定する、データファイルの転送方法。
【請求項２９】
請求項２７または２８記載のデータファイルの転送方法であって、
前記インデックスファイルは、前記保存場所情報の他に、パスワードに関する情報を含んでいる、データファイルの転送方法。
【請求項３０】
請求項２７ないし２９のいずれかに記載のデータファイルの転送方法であって、
前記記憶装置は、前記プロジェクタおよび前記計算機とネットワークを介して接続されているファイルサーバに配置されている、データファイルの転送方法。
【請求項３１】
データファイルの保存場所情報を含むと共に前記データファイルよりもファイルサイズの小さいインデックスファイルに基づいてデータファイルをプロジェクタにおいて表示する方法であって、
前記インデックスファイルを用いて表示を所望するデータファイルを決定し、
前記決定したデータファイルの保存場所を、対応する前記インデックスファイルに基づいて特定し、
前記特定した保存場所を有する保存先に対して前記決定したデータファイルの転送を要求し、
前記決定したデータファイルを受け取り、投写表示することを特徴とするデータファイルの表示方法。
【請求項３２】
請求項３１記載のデータファイルの表示方法であって、
前記インデックスファイルがパスワード情報を含む場合には、パスワードの入力を要求し、
入力されたパスワードが前記パスワード情報と符合する場合には、前記決定した保存場所を有する保存先に対して前記決定したデータファイルの転送を要求する、データファイルの表示方法。
【請求項３３】
データファイルを格納するファイルサーバからネットワークを介して表示するデータファイルを取得するプロジェクタであって、
データ、コマンドを入力するための入力手段と、
前記データファイルの保存場所情報を含むと共に前記データファイルよりもファイルサイズの小さいインデックスファイルを格納するインデックスファイル格納手段と、
前記インデックスファイルと関連付けられたデータファイルの選択画面を生成するための選択画面生成手段と、
前記選択画面を介して選択されたデータファイルに対応するインデックスファイルが有する保存場所情報を用いて、前記選択されたデータファイルの保存場所を特定し、前記選択されたデータファイルの転送を要求する転送要求手段と、
前記ネットワークを介して取得した前記選択されたデータファイルを投写表示する投写表示手段と、
を備えることを特徴とするプロジェクタ。
【請求項３４】
プロジェクタおよびファイルサーバが接続されているネットワークを介してデータファイルを転送する装置であって、
データ、コマンドを入力するための入力手段と、
前記データファイルを格納するデータファイル格納手段と、
前記入力手段を介して前記データファイル格納手段に格納されているデータファイルのうち、所望のデータファイルの転送要求が入力されたか否かを判定する転送要求判定手段と、
転送要求が入力されたと判定した場合には、前記所望のデータファイルの保存場所情報を含むと共に前記データファイルよりもファイルサイズの小さい参照ファイルを生成する参照ファイル生成手段と、
前記所望のデータファイルおよび前記参照ファイルを前記ファイルサーバおよび前記プロジェクタにそれぞれ送出する送出手段と、
を備えることを特徴とするデータファイル転送装置。
【請求項３５】
請求項３４記載のデータファイル転送装置であって、さらに、
前記データファイル格納手段に格納されているデータファイルの一覧、および前記プロジェクタのアイコンを表示する表示画面装置を備え、
前記転送要求判定手段は、前記表示画面装置の表示画面上において前記格納されているデータファイルの一覧から前記所望のデータファイルが、前記プロジェクタのアイコンへドラッグ・アンド・ドロップされると、転送要求が発生したものと判定する、データファイル転送装置。
【請求項３６】
コンピュータ上で実行される、コンピュータにて生成したデータファイルを転送するためのプログラムを記憶するコンピュータ読取り可能媒体であって、
前記プログラムは、
転送するデータファイルを決定するステップと、
前記決定したデータファイルの転送要求が発生したか否かを判定するステップと、
前記決定したデータファイルの転送要求が発生したと判定した場合には、前記決定したデータファイルの保存場所情報を含むと共に前記データファイルよりもファイルサイズの小さいインデックスファイルを生成するステップと、
前記決定されたデータファイルを保存先としての記憶装置に転送するステップと、
前記インデックスファイルをプロジェクタに転送するステップと、
を備えることを特徴とするコンピュータ読取り可能媒体。
【請求項３７】
データファイルの保存場所情報を含むと共に前記データファイルよりもファイルサイズの小さいインデックスファイルに基づいてデータファイルをプロジェクタにおいて表示するためのプログラムを記憶するコンピュータ読取り可能媒体であって、
前記プログラムは、
前記インデックスファイルを用いて表示を所望するデータファイルを決定するステップと、
前記決定したデータファイルの保存場所を、対応する前記インデックスファイルに基づいて決定するステップと、
前記決定した保存場所を有する保存先に対して前記決定したデータファイルの転送を要求するステップと、
前記決定したデータファイルを受け取り、投写表示するステップと、
を備えることを特徴とするコンピュータ読取り可能媒体。
【発明の詳細な説明】
【技術分野】
【０００１】
この発明は、シナリオファイルやインデックスファイルなどの画像ファイルを指定する画像指定ファイルを作成し、これを用いて画像を再生する技術に関する。
【背景技術】
【０００２】
投写型表示装置（すなわちプロジェクタ）は、画像を投写スクリーン上に拡大して表示することができることから、プレゼンテーションに用いられることが多い。プレゼンテーションでは、通常、複数のプレゼンテーションシート（「スライド」とも呼ばれる）が、ページ毎に順次表示される。この処理は、ページ毎に画像を順次表示させるためのシナリオファイルに従って実行される。なお、シナリオファイルやシナリオファイルに従って使用される画像ファイルは、ユーザによって予め準備されて、プロジェクタに供給される。
【発明の概要】
【発明が解決しようとする課題】
【０００３】
しかしながら、プロジェクタにおいて、シナリオファイルに従ってページ毎に画像を順次表示させることは困難であった。これは、シナリオファイルを所定のコマンドを使って作成（記述）したり、シナリオファイルに従って表示される画像を表す画像ファイルをプロジェクタに適した形式で準備するのが、比較的難しいからである。
【０００４】
また、画像ファイル（データファイル）を再生する際には、プロジェクタは、画像ファイルを記憶可能な容量を有する記憶装置を必要とするが、プロジェクタの記憶装置の容量を小さくする技術が要望されている。
【０００５】
この発明は、従来技術における上述の課題を解決するためになされたものであり、プロジェクタなどのシナリオ再生装置において、ページ毎の画像を容易に順次表示させることのできる技術を提供することを第１の目的とする。また、プロジェクタの記憶装置の容量を比較的小さくすることのできる技術を提供することを第２の目的とする。
【課題を解決するための手段】
【０００６】
上述の課題の少なくとも一部を解決するため、本発明の第１の態様における装置は、ページ毎に画像を順次表示させるためのシナリオファイルに従って所定形式の画像ファイルのみを再生可能なシナリオ再生装置に供給される前記シナリオファイルを作成するためのシナリオ作成装置であって、ポインティングデバイスを含む入力部と、表示部と、前記入力部の操作に従って前記シナリオファイルを作成するためのシナリオ作成部と、を備え、前記シナリオ作成部は、前記表示部に、前記シナリオ作成部に処理を実行させるための実行用アイコンを表示させ、前記ポインティングデバイスの操作により、ページ毎のシナリオ情報と画像情報とを含む所定形式の素材ファイルのファイルアイコンが前記実行用アイコンにドラッグ・アンド・ドロップされると、前記シナリオ情報に基づいて前記シナリオファイルを作成し、前記画像情報に基づいて前記所定形式の画像ファイルを生成することを特徴とする。
【０００７】
こうすれば、ユーザは、所定形式の素材ファイルのファイルアイコンをシナリオ作成部に処理を実行させるための実行用アイコンにドラッグ・アンド・ドロップすることにより、所定形式の素材ファイルを用いて、シナリオファイルと所定形式の画像ファイルとを容易に作成することが可能となる。
【０００８】
本発明の第２の態様における方法は、ポインティングデバイスを含む入力部と、表示部と、を備えるシナリオ作成装置において、ページ毎に画像を順次表示させるためのシナリオファイルに従って所定形式の画像ファイルのみを再生可能なシナリオ再生装置に供給される前記シナリオファイルを作成するためのシナリオ作成方法であって、（ａ）前記表示部に、前記シナリオ作成部に処理を実行させるための実行用アイコンを表示させる工程と、（ｂ）前記ポインティングデバイスの操作により、ページ毎のシナリオ情報と画像情報とを含む所定形式の素材ファイルのファイルアイコンが前記実行用アイコンにドラッグ・アンド・ドロップされると、前記シナリオ情報に基づいて前記シナリオファイルを作成し、前記画像情報に基づいて前記所定形式の画像ファイルを生成する工程と、を備えることを特徴とする。
【０００９】
この方法を用いる場合には、本発明の装置を用いる場合と同様の作用・効果を奏し、所定形式の素材ファイルを用いて、シナリオファイルと所定形式の画像ファイルとを容易に作成することが可能となる。
【００１０】
本発明の第３の態様における記録媒体は、ポインティングデバイスを含む入力部と、表示部と、を備えるシナリオ作成装置において、ページ毎に画像を順次表示させるためのシナリオファイルに従って所定形式の画像ファイルのみを再生可能なシナリオ再生装置に供給される前記シナリオファイルを作成するためのコンピュータプログラムを記録したコンピュータ読み取り可能な記録媒体であって、前記表示部に、前記シナリオ作成部に処理を実行させるための実行用アイコンを表示させる機能と、前記ポインティングデバイスの操作により、ページ毎のシナリオ情報と画像情報とを含む所定形式の素材ファイルのファイルアイコンが前記実行用アイコンにドラッグ・アンド・ドロップされると、前記シナリオ情報に基づいて前記シナリオファイルを作成し、前記画像情報に基づいて前記所定形式の画像ファイルを生成する機能と、をコンピュータに実現させるためのコンピュータプログラムを記録する。
【００１１】
この記録媒体に記録されたコンピュータプログラムをコンピュータが実行すれば、本発明の方法と同様に、所定形式の素材ファイルを用いて、シナリオファイルと所定形式の画像ファイルとを容易に作成することが可能となる。
【００１２】
なお、上記の発明は、シナリオ作成装置の機能を実現するためのコンピュータプログラム、そのコンピュータプログラムを記録した記録媒体、そのコンピュータプログラムを含み搬送波内に具現化されたデータ信号、等の種々の態様で実現することができる。
【００１３】
本発明の第４の態様における装置は、ページ毎に画像を順次表示させるためのシナリオファイルを作成するためのシナリオ作成装置であって、ポインティングデバイスを含む入力部と、表示部と、前記入力部の操作に従って前記シナリオファイルを作成するためのシナリオ作成部と、を備え、前記シナリオ作成部は、前記表示部に、素材ファイルを表示するためのファイル管理領域と、前記ファイル管理領域においてユーザによって選択された素材ファイルの情報である選択素材ファイル情報をユーザによって指定された順序で表示する選択素材ファイル情報領域と、を含むシナリオファイル作成領域を表示させ、前記選択素材ファイル情報領域内の表示内容に応じて、前記シナリオファイルを作成することを特徴とする。
【００１４】
こうすれば、選択素材ファイル情報を選択素材ファイル情報領域に所望の順序で表示させるだけで、容易にシナリオファイルを作成することができる。このように作成されたシナリオファイルをプロジェクタなどのシナリオ再生装置に供給すれば、ページ毎の画像を容易に順次表示させることが可能となる。
【００１５】
上記のシナリオ作成装置において、前記シナリオ作成部は、複数の素材ファイルを指定する前記シナリオファイルを作成可能である作成可能であることが好ましい。こうすれば、複数種類のファイル形式の素材ファイルを用いる場合にも、容易にシナリオファイルを作成することができる。
【００１６】
また、上記のシナリオ作成装置において、前記選択素材ファイル情報は、前記ポインティングデバイスの操作により、前記ファイル管理領域に表示される素材ファイルのファイルアイコンが前記選択素材ファイル情報領域内にドラッグ・アンド・ドロップされることにより、前記選択素材ファイル情報領域に表示されることが好ましい。こうすれば、ポインティングデバイスを操作するだけで、容易にシナリオファイルを作成することが可能となる。
【００１７】
上記のシナリオ作成装置において、前記選択素材ファイル情報は、選択された素材ファイル内のページを指定するページ指定情報を含むようにしてもよい。こうすれば、素材ファイルが複数ページの内容を有している場合にも、所望のページのみを用いたシナリオファイルを作成することが可能となる。
【００１８】
上記のシナリオ作成装置において、前記シナリオ作成領域は、さらに、前記ファイル管理領域内に表示されるページ毎のシナリオ情報と画像情報とを含む所定形式の素材ファイルについて、ページ毎の前記画像情報をページ毎に縮小画像で表示する縮小画像表示領域を含んでおり、前記ページ指定情報を含む前記選択素材ファイル情報は、前記ポインティングデバイスの操作により、前記縮小画像表示領域に表示されるページ毎の縮小画像が前記選択素材ファイル情報領域にドラッグ・アンド・ドロップされることにより、前記選択素材ファイル情報領域に表示されることが好ましい。このように、縮小画像が表示されれば、ページ毎の画像の内容を容易に確認することができるので、ポインティングデバイスを操作するだけで、容易にシナリオファイルを作成することが可能となる。
【００１９】
さらに、上記のシナリオ作成装置において、ネットワークと接続するためのネットワークインタフェース部を備え、前記シナリオ作成部は、前記ネットワークに接続された他の外部装置内に格納された素材ファイルを選択して、前記シナリオファイルを作成するようにしてもよい。こうすれば、シナリオ作成装置内に準備されていない素材ファイルを用いて、シナリオファイルを容易に作成することが可能となる。
【００２０】
さらに、上記のシナリオ作成装置において、前記シナリオ作成部によって作成された前記シナリオファイルを、シナリオ再生装置に供給するためのシナリオ供給部を備え、前記シナリオ供給部は、前記シナリオファイルを作成する際に選択された素材ファイルを前記シナリオ再生装置に供給しないようにしてもよい。こうすれば、シナリオ再生装置内に素材ファイルが格納されないので、シナリオ再生装置内のメモリ容量を比較的小さくすることが可能となる。なお、このとき、シナリオ再生装置は、シナリオファイルを実行する際に、他の外部装置内などから素材ファイルを読み出すようにすればよい。
【００２１】
本発明の第５の態様における装置は、ページ毎に画像を順次表示させるためのシナリオファイルに従って画像を投写表示するプロジェクタであって、メモリに記憶された前記シナリオファイルに従って、素材ファイルを読み出し、投写表示されるページ毎の画像を表すページ画像データを準備するページ画像処理部と、前記ページ画像データに応じて画像光を形成する電気光学装置と、前記電気光学装置で得られた画像光を投写する投写光学系と、を備え、前記ページ画像処理部は、複数形式の前記素材ファイルに基づいて前記ページ画像データを準備することを特徴とする。
【００２２】
このプロジェクタは、複数形式の素材ファイルに基づいてページ画像データを準備することができるページ画像処理部を備えているので、所定形式の画像ファイルを特別に準備する手間を省略することができる。この結果、プロジェクタは、ページ毎の画像を容易に順次表示させることが可能となる。
【００２３】
さらに、上記のプロジェクタにおいて、ネットワークと接続するためのネットワークインタフェース部を備え、前記ページ画像処理部は、前記ネットワークインタフェース部を介して、前記ネットワークに接続された他の外部装置に格納された素材ファイルを、前記シナリオファイルに従って読み出すようにしてもよい。こうすれば、プロジェクタは、他の外部装置に格納された素材ファイルを格納する必要がないので、プロジェクタ内のメモリ容量を比較的小さくすることが可能となる。
【００２４】
さらに、上記のプロジェクタにおいて、前記メモリに前記シナリオファイルを供給するためのシナリオ供給装置を備えるようにしてもよい。
【００２５】
上記のプロジェクタにおいて、前記シナリオ供給装置は、ポインティングデバイスを含む入力部と、表示部と、準備された前記シナリオファイルを前記メモリに供給するためのシナリオ供給部と、を備え、前記シナリオ供給部は、前記表示部に、前記シナリオ供給部に処理を実行させるための実行用アイコンを表示させ、前記ポインティングデバイスの操作により、シナリオファイルのファイルアイコンが前記実行用アイコンにドラッグ・アンド・ドロップされると、前記シナリオファイルを前記メモリに供給することが好ましい。このようなシナリオ供給装置を備えれば、ポインティングデバイスを操作するだけで、シナリオファイルを容易にメモリに供給することが可能となる。
【００２６】
上記のプロジェクタにおいて、前記シナリオ供給装置は、さらに、ユーザによる前記ポインティングデバイスの操作を検出し、検出結果に基づいて操作情報を生成する操作情報生成部を備え、前記操作情報生成部は、前記シナリオ供給部が前記シナリオファイルを前記メモリに供給すると、前記ポインティングデバイスの操作に伴う操作情報を生成するための領域である操作情報生成領域を表示させ、前記操作情報生成領域内に、前記ポインティングデバイスに対応するポインタ画像が表示される場合にのみ、前記ポインティングデバイスの操作に伴う前記操作情報を生成して前記ページ画像処理部に供給し、前記ページ画像処理部は、供給された前記シナリオファイルに従って前記ページ画像データを準備するとともに、前記操作情報に基づいて、前記ページ画像データと装飾画像データとを合成し、前記ページ画像データによって表されるページ画像内の所定の位置に前記装飾画像データによって表される装飾画像を重畳するようにしてもよい。こうすれば、ページ画像処理部は、シナリオファイルに従って準備されるページ画像内に、操作情報に基づいて装飾画像を容易に重畳させることが可能となる。
【００２７】
上記のプロジェクタにおいて、前記ページ画像処理部は、前記メモリ内に前記シナリオファイルが供給されると、自動的に前記シナリオファイルに従った処理を開始するようにしてもよい。
【００２８】
本発明の第６の態様における装置は、画像を投写表示するプロジェクタであって、ページ毎のシナリオ情報と画像情報とを含む素材ファイルを供給するための素材ファイル供給装置と、前記素材ファイル供給装置から供給され、メモリに記憶された前記素材ファイルを読み出し、前記シナリオ情報に従って、前記画像情報によって表されるページ毎の画像を表すページ画像データを準備するページ画像処理部と、前記ページ画像データに応じて画像光を形成する電気光学装置と、前記電気光学装置で得られた画像光を投写する投写光学系と、を備え、前記素材ファイル供給装置は、ポインティングデバイスを含む入力部と、表示部と、前記素材ファイルを前記メモリに供給するための素材ファイル供給部と、を備え、前記素材ファイル供給部は、前記表示部に、前記素材ファイル供給部に処理を実行させるための実行用アイコンを表示させ、前記ポインティングデバイスの操作により、前記素材ファイルのファイルアイコンが前記実行用アイコンにドラッグ・アンド・ドロップされると、前記素材ファイルを前記メモリに供給することを特徴とする。
【００２９】
このプロジェクタは、所定形式の素材ファイルをそのまま用いて、ページ毎の画像を表すページ画像データを準備することのできるページ画像処理部を備えているので、シナリオファイルを作成する手間を省略することができる。この結果、プロジェクタは、ページ毎の画像を容易に順次表示させることが可能となる。
【００３０】
上記のプロジェクタにおいて、前記素材ファイル供給装置は、さらに、ユーザによる前記ポインティングデバイスの操作を検出し、検出結果に基づいて操作情報を生成する操作情報生成部を備え、前記操作情報生成部は、前記素材ファイル供給部が前記素材ファイルを前記メモリに供給すると、前記ポインティングデバイスの操作に伴う操作情報を生成するための領域である操作情報生成領域を表示させ、前記操作情報生成領域内に、前記ポインティングデバイスに対応するポインタ画像が表示される場合にのみ、前記ポインティングデバイスの操作に伴う前記操作情報を生成して前記ページ画像処理部に供給し、前記ページ画像処理部は、供給された前記素材ファイルを用いて前記ページ画像データを準備するとともに、前記操作情報に基づいて、前記ページ画像データと装飾画像データとを合成し、前記ページ画像データによって表されるページ画像内の所定の位置に前記装飾画像データによって表される装飾画像を重畳するようにしてもよい。こうすれば、ページ画像処理部は、素材ファイルを用いて準備されるページ画像内に、操作情報に基づいて装飾画像を容易に重畳させることが可能となる。
【００３１】
上記のプロジェクタにおいて、前記ページ画像処理部は、前記メモリ内に前記素材ファイルが供給されると、自動的に前記素材ファイルの前記シナリオ情報に従った処理を開始するようにしてもよい。
【００３２】
本発明の第７の態様における方法は、ポインティングデバイスを含む入力部と、表示部と、を備えるシナリオ作成装置において、ページ毎に画像を順次表示させるためのシナリオファイルを作成するためのシナリオ作成方法であって、（ａ）前記表示部に、素材ファイルを表示するためのファイル管理領域と、前記ファイル管理領域においてユーザによって選択された素材ファイルの情報である選択素材ファイル情報をユーザによって指定された順序で表示する選択素材ファイル情報領域と、を含むシナリオファイル作成領域を表示させる工程と、（ｂ）前記選択素材ファイル情報領域内の表示内容に応じて、前記シナリオファイルを作成する工程と、を備えることを特徴とする。
【００３３】
この方法を用いる場合には、本発明のシナリオ作成装置を用いる場合と同様の作用・効果を奏し、選択素材ファイル情報を選択素材ファイル情報領域に所望の順序で表示させるだけで、容易にシナリオファイルを作成することができる。また、このように作成されたシナリオファイルをプロジェクタなどのシナリオ再生装置に供給すれば、ページ毎の画像を容易に順次表示させることが可能となる。
【００３４】
本発明の第８の態様における記録媒体は、ポインティングデバイスを含む入力部と、表示部と、を備えるシナリオ作成装置において、ページ毎に画像を順次表示させるためのシナリオファイルを作成するためのコンピュータプログラムを記録したコンピュータ読み取り可能な記録媒体であって、前記表示部に、素材ファイルを表示するためのファイル管理領域と、前記ファイル管理領域においてユーザによって選択された素材ファイルの情報である選択素材ファイル情報をユーザによって指定された順序で表示する選択素材ファイル情報領域と、を含むシナリオファイル作成領域を表示させる機能と、前記選択素材ファイル情報領域内の表示内容に応じて、前記シナリオファイルを作成する機能と、をコンピュータに実現させるためのコンピュータプログラムを記録する。
【００３５】
この記録媒体に記録されたコンピュータプログラムをシナリオ作成装置が実行すれば、本発明の方法と同様に、選択素材ファイル情報を選択素材ファイル情報領域に所望の順序で表示させるだけで、容易にシナリオファイルを作成することができる。また、このように作成されたシナリオファイルをプロジェクタなどのシナリオ再生装置に供給すれば、ページ毎の画像を容易に順次表示させることが可能となる。
【００３６】
なお、上記の発明は、シナリオ作成装置の機能およびシナリオ再生装置（プロジェクタ）の機能のうちの少なくとも一方を実現するためのコンピュータプログラム、そのコンピュータプログラムを記録した記録媒体、そのコンピュータプログラムを含み搬送波内に具現化されたデータ信号、等の種々の態様で実現することができる。
【００３７】
本発明の第９の態様における装置は、データファイルを格納するファイルサーバ、プロジェクタ、および計算機がネットワークを介して相互に接続されている画像表示システムであって、前記計算機は、データ、コマンドを入力するための入力手段と、前記プロジェクタによって表示させるデータファイルを格納するデータファイル格納手段と、前記入力手段を介して、前記データファイル格納手段から前記ファイルサーバへ所望のデータファイルを転送する要求が発生したか否かを判定する転送要求判定手段と、前記データファイルの転送要求が発生したと判定した場合には、前記データファイルの転送先情報を含むと共に前記データファイルよりもファイルサイズの小さいインデックスファイルを生成するインデックスファイル生成手段と、前記データファイルおよび前記インデックスファイルを前記ファイルサーバおよび前記プロジェクタにそれぞれ送出する送出手段とを備え、前記プロジェクタは、前記転送されたインデックスファイルを受け取り、格納するインデックスファイル格納手段と、前記インデックスファイル格納装置に格納されたインデックスファイルを用いて、表示を望むデータファイルを決定するためのデータファイル決定画面を生成する決定画面生成手段と、前記データファイル決定画面を介して決定されたデータファイルに対応する前記インデックスファイルに含まれている転送先情報に基づき、前記ファイルサーバを特定し、データファイルの転送を要求する転送要求手段と、前記転送を要求したデータファイルを受け取り、投写表示させる投写表示手段とを備えることを特徴とする。
【００３８】
この画像表示システムによれば、データファイルを転送するに当たりプロジェクタ側に記憶容量の大きな記憶装置を必要とすることなく、また、プロジェクタ単独でデータファイルを再生することができる。また、ネットワークを意識することなく、リモート操作によってデータファイルを転送し、データファイルを再生することができる。
【００３９】
上記の画像表示システムにおいて、前記転送先情報には、前記データファイルの転送場所、ファイル名が含まれても良い。また、前記インデックスファイルは、前記転送先情報の他に、ファイル名、パスワード情報を含むことができる。かかる構成を備えることにより、インデックスファイルの利便性を向上させることができる。また、前記プロジェクタの前記転送要求手段は、さらに、パスワードの入力を要求し、入力されたパスワードが前記パスワード情報と符合する場合には、前記ファイルサーバに対して前記決定されたデータファイルの転送を要求しても良い。かかる構成を備える場合には、データファイルに対する第３者の不正なアクセスを防止することができる。
【００４０】
上記の画像表示システムにおいて、前記計算機は、さらに、前記データファイル格納手段に格納されているデータファイルの一覧、および前記プロジェクタのアイコンを表示する表示画面装置を備え、前記転送要求判定手段は、前記表示画面装置の表示画面上において前記格納されているデータファイルの一覧から前記所望のデータファイルのアイコンが、前記プロジェクタのアイコンへドラッグ・アンド・ドロップされると、転送要求が発生したものと判定しても良い。かかる構成を備える場合には、データファイルの転送操作を視覚的に実行することが可能となり、データファイルの転送操作をより簡易にすることができる。
【００４１】
本発明の第１０の態様における方法は、計算機にて生成したデータファイルを転送する方法であって、転送するデータファイルを決定し、前記決定したデータファイルの転送要求が発生したか否かを判定し、前記決定したデータファイルの転送要求が発生したと判定した場合には、前記決定したデータファイルの保存場所情報を含むと共に前記データファイルよりもファイルサイズの小さいインデックスファイルを生成し、前記決定されたデータファイルを保存先としての記憶装置に転送し、前記インデックスファイルをプロジェクタに転送することを特徴とする。
【００４２】
このデータファイルの転送方法によれば、プロジェクタ側に記憶容量の大きな記憶装置を必要とせず、データファイルを転送することができる。
【００４３】
本発明の第１０の態様に係るデータファイルの転送方法は、本発明の第９の態様と同様にして種々の変更、改良が可能である。
【００４４】
本発明の第１１の態様における方法は、データファイルの保存場所情報を含むと共に前記データファイルよりもファイルサイズの小さいインデックスファイルに基づいてデータファイルをプロジェクタにおいて表示する方法であって、前記インデックスファイルを用いて表示を所望するデータファイルを決定し、前記決定したデータファイルの保存場所を、対応する前記インデックスファイルに基づいて特定し、前記特定した保存場所を有する保存先に対して前記決定したデータファイルの転送を要求し、前記決定したデータファイルを受け取り、投写表示することを特徴とする。
【００４５】
このデータファイルの表示方法によれば、プロジェクタ側の記憶装置の記憶容量に依存することなく、ファイルサイズの大きなデータファイルを取り扱うことができる。また、インデックスファイルを用いてデータファイルの保存場所（保存先）を特定するので、ネットワークを意識することなく、リモート操作によってデータファイルの転送ならびに表示処理を実行することができる。
【００４６】
本発明の第１１の態様に係るデータファイルの表示方法は、本発明の第９の態様と同様にして種々の変更、改良が可能である。
【００４７】
本発明の第１２の態様における装置は、データファイルを格納するファイルサーバからネットワークを介して表示するデータファイルを取得するプロジェクタであって、データ、コマンドを入力するための入力手段と、前記データファイルの保存場所情報を含むと共に前記データファイルよりもファイルサイズの小さいインデックスファイルを格納するインデックスファイル格納手段と、前記インデックスファイルと関連付けられたデータファイルの選択画面を生成するための選択画面生成手段と、前記選択画面を介して選択されたデータファイルに対応するインデックスファイルが有する保存場所情報を用いて、前記選択されたデータファイルの保存場所を特定し、前記選択されたデータファイルの転送を要求する転送要求手段と、前記ネットワークを介して取得した前記選択されたデータファイルを投写表示する投写表示手段と、を備えることを特徴とする。
【００４８】
このプロジェクタによれば、プロジェクタ側の記憶装置の記憶容量に依存することなく、ファイルサイズの大きなデータファイルを取り扱うことができる。また、インデックスファイルを用いてデータファイルの保存先を特定するので、ネットワークを意識することなく、リモート操作によってデータファイルの転送ならびに表示処理を実行することができる。
【００４９】
本発明の第１３の態様における装置は、プロジェクタおよびファイルサーバが接続されているネットワークを介してデータファイルを転送する装置であって、データ、コマンドを入力するための入力手段と、前記データファイルを格納するデータファイル格納手段と、前記入力手段を介して前記データファイル格納手段に格納されているデータファイルのうち、所望のデータファイルの転送要求が入力されたか否かを判定する転送要求判定手段と、転送要求が入力されたと判定した場合には、前記所望のデータファイルの保存場所情報を含むと共に前記データファイルよりもファイルサイズの小さい参照ファイルを生成する参照ファイル生成手段と、前記所望のデータファイルおよび前記参照ファイルを前記ファイルサーバおよび前記プロジェクタにそれぞれ送出する送出手段と、を備えることを特徴とする。
【００５０】
このデータファイルの転送装置によれば、プロジェクタ側の記憶装置の記憶容量に拘わらず、ファイルサイズの大きなデータファイルを転送することができる。また、インデックスファイルによってデータファイルの保存先を特定することができるので、プロジェクタ側にインデックスファイルを転送することにより、プロジェクタ側にデータファイルを転送した場合と同様の感覚によってデータファイルを操作することができる。
【００５１】
本発明の第１３の態様に係るデータファイル転送装置はさらに、本発明の第９の態様と同様にして種々の変更、改良が可能である。
【００５２】
本発明の第１４の態様における記録媒体は、コンピュータ上で実行される、コンピュータにて生成したデータファイルを転送するためのプログラムを記憶するコンピュータ読取り可能媒体であって、前記プログラムは、転送するデータファイルを決定するステップと、前記決定したデータファイルの転送要求が発生したか否かを判定するステップと、前記決定したデータファイルの転送要求が発生したと判定した場合には、前記決定したデータファイルの保存場所情報を含むと共に前記データファイルよりもファイルサイズの小さいインデックスファイルを生成するステップと、前記決定されたデータファイルを保存先としての記憶装置に転送するステップと、前記インデックスファイルをプロジェクタに転送するステップと、を備えることを特徴とする。
【００５３】
このコンピュータ読取り可能媒体によれば、本発明の第１０の態様と同様な作用効果を得ることができる。
【００５４】
本発明の第１５の態様における記録媒体は、データファイルの保存場所情報を含むと共に前記データファイルよりもファイルサイズの小さいインデックスファイルに基づいてデータファイルをプロジェクタにおいて表示するためのプログラムを記憶するコンピュータ読取り可能媒体であって、前記プログラムは、前記インデックスファイルを用いて表示を所望するデータファイルを決定するステップと、前記決定したデータファイルの保存場所を、対応する前記インデックスファイルに基づいて決定するステップと、前記決定した保存場所を有する保存先に対して前記決定したデータファイルの転送を要求するステップと、前記決定したデータファイルを受け取り、投写表示するステップと、を備えることを特徴とする。
【００５５】
このコンピュータ読取り可能媒体によれば、本発明の第１１の態様と同様な作用効果を得ることができる。
【００５６】
なお、上記本発明の各態様において、保存場所は、各データファイルが保存される固有の保存場所であり、保存場所情報に基づいて保存場所を特定することによって各データファイルを特定（識別）することができる。
【図面の簡単な説明】
【００５７】
【図１】本発明を適用したシナリオ作成・再生システムを示す説明図である。
【図２】図１のコンピュータＰＣ１の概略構成を示す説明図である。
【図３】図１のプロジェクタＰＪ１の概略構成を示す説明図である。
【図４】図１のシナリオ作成・再生システムにおける一連の処理手順を示すフローチャートである。
【図５】表示部３５０に表示されるデスクトップ画面を示す説明図である。
【図６】プロジェクタＰＪ１によって表示されるシナリオファイルの選択画面ＳＳＭを示す説明図である。
【図７】プロジェクタＰＪ１に供給されたシナリオファイルの内容の一例を示す説明図である。
【図８】第２実施例におけるシナリオ作成・再生システムを示す説明図である。
【図９】図８のコンピュータＰＣ２の概略構成を示す説明図である。
【図１０】図８のプロジェクタＰＪ２の概略構成を示す説明図である。
【図１１】図８のシナリオ作成・再生システムにおける一連の処理手順を示すフローチャートである。
【図１２】表示部３５０に表示されるシナリオ作成用ウィンドウＳＭＷを示す説明図である。
【図１３】プロジェクタＰＪ２によって表示されるシナリオファイル選択画面ＳＳＭを示す説明図である。
【図１４】プロジェクタＰＪ２に供給されたシナリオファイルの内容の一例を示す説明図である。
【図１５】第３実施例におけるシナリオ再生システムを示す説明図である。
【図１６】図１５のコンピュータＰＣ３の概略構成を示す説明図である。
【図１７】図１５のプロジェクタＰＪ３の概略構成を示す説明図である。
【図１８】図１５のシナリオ再生システムにおける一連の処理手順を示すフローチャートである。
【図１９】表示部３５０に表示されるデスクトップ画面を示す説明図である。
【図２０】コンピュータＰＣ３の表示部３５０に表示される操作検出用ウィンドウＤＷを示す説明図である。
【図２１】ページ画像ＯＲＧ内のポインタ画像ＰＰＪを用いて、ページ画像ＯＲＧ内にボックス画像ＰＢを重畳する際の処理を示す説明図である。
【図２２】第４実施例に係るプロジェクタがネットワークに接続されて構成される画像表示システムの構成例を示す説明図である。
【図２３】第４実施例に係るプロジェクタの内部回路構成を示すブロック図である。
【図２４】パーソナルコンピュータＰＣ４からプロジェクタＰＪ４に対して表示データを転送する際に実行される処理ルーチンを示すフローチャートである。
【図２５】パーソナルコンピュータＰＣ４からプロジェクタＰＪ４に対して表示データを転送するために、パーソナルコンピュータＰＣ４の表示ディスプレイ１０５４上にて実行される処理を示す説明図である。
【図２６】図２５に示す処理を終了した後に表示ディスプレイ１０５４上に現れるインデックスファイル情報設定画面の一例を示す説明図である。
【図２７】インデックスファイルに含まれるデータを概念的に示す説明図である。
【図２８】プロジェクタＰＪ４において外部記憶装置１０４１に格納されているデータファイルを再生する際に実行される処理ルーチンを示すフローチャートである。
【図２９】第４実施例にて用いられるリモコン１０４０を模式的に示す説明図である。
【図３０】プロジェクタＰＪ４の投写表示画面ＳＲのうち、メニュー画面の一例を示す説明図である。
【図３１】プロジェクタＰＪ４の投写表示画面ＳＲのうち、インデックス画面の一例を示す説明図である。
【図３２】プロジェクタＰＪ４の投写表示画面ＳＲのうち、パスワード入力ボックスＰＢ１の表示の一例を示す説明図である。
【図３３】プロジェクタＰＪ４の投写表示画面ＳＲのうち、認証失敗表示ボックスＰＢ２の表示の一例を示す説明図である。
【発明を実施するための形態】
【００５８】
Ａ．第１実施例：
次に、本発明の実施の形態を実施例に基づき説明する。図１は、本発明を適用したシナリオ作成・再生システムを示す説明図である。このシナリオ作成・再生システムは、シナリオ作成装置およびシナリオ供給装置としての機能を有するコンピュータＰＣ１と、シナリオ再生装置としての機能を有するプロジェクタ（すなわち投写型表示装置）ＰＪ１とを備えている。コンピュータＰＣ１とプロジェクタＰＪ１とは、ＵＳＢケーブルによって接続されている。
【００５９】
なお、本実施例のプロジェクタＰＪ１は、シナリオファイルに従って、所定形式の画像ファイルを再生可能である。ただし、プロジェクタＰＪ１が再生する画像ファイルの形式は１つの形式のみである。このため、本実施例のコンピュータＰＣ１は、シナリオファイルＳＦおよび所定形式の画像ファイルＰＦを作成してプロジェクタＰＪ１に供給する。プロジェクタＰＪ１は、供給されたシナリオファイルＳＦに従って、所定形式の画像ファイルＰＦに応じたページ画像ＯＲＧをスクリーンＳＣ上に表示させる。
【００６０】
図２は、図１のコンピュータＰＣ１の概略構成を示す説明図である。コンピュータＰＣ１は、ＣＰＵ３００と、外部記憶装置３１０と、ＲＯＭ３２０と、ＲＡＭ３３０と、表示部３５０と、マウスＭＳやキーボードＫＢなどの入力部３６０と、ＵＳＢインタフェース部３８０とを備えている。
【００６１】
ＲＡＭ３３０内には、シナリオ作成部３３２Ａの機能を実現するシナリオ作成プログラムが格納されている。シナリオ作成部３３２Ａは、ページ毎に順次画像を表示するためのシナリオファイルＳＦと、シナリオ再生時に用いられる画像ファイルＰＦとを作成する機能を有している。ただし、本実施例のプロジェクタＰＪ１は、シナリオファイルＳＦに従って所定形式の画像ファイルＰＦのみを再生可能であるため、シナリオ作成部３３２Ａは、所定形式の画像ファイルＰＦを生成する。また、シナリオ作成部３３２Ａは、作成されたシナリオファイルＳＦおよび画像ファイルＰＦを、ＵＳＢインタフェース部３８０を介してプロジェクタＰＪ１に供給する機能を有している。すなわち、シナリオ作成部３３２ＡとＵＳＢインタフェース部３８０とは、シナリオファイルＳＦをプロジェクタＰＪ１に供給するシナリオ供給部としての機能を有している。
【００６２】
なお、上記のシナリオ作成部３３２Ａの機能を実現するコンピュータプログラムは、フレキシブルディスクやＣＤ−ＲＯＭ等の、コンピュータ読み取り可能な記録媒体に記録された形態で提供される。コンピュータは、その記録媒体からコンピュータプログラムを読み取って内部記憶装置または外部記憶装置に転送する。あるいは、通信経路を介してコンピュータにコンピュータプログラムを供給するようにしてもよい。コンピュータプログラムの機能を実現する時には、内部記憶装置に格納されたコンピュータプログラムがコンピュータのマイクロプロセッサによって実行される。また、記録媒体に記録されたコンピュータプログラムをコンピュータが読み取って直接実行するようにしてもよい。
【００６３】
この明細書において、コンピュータとは、ハードウェア装置とオペレーションシステムとを含む概念であり、オペレーションシステムの制御の下で動作するハードウェア装置を意味している。また、オペレーションシステムが不要でアプリケーションプログラム単独でハードウェア装置を動作させるような場合には、そのハードウェア装置自体がコンピュータに相当する。ハードウェア装置は、ＣＰＵ等のマイクロプロセッサと、記録媒体に記録されたコンピュータプログラムを読み取るための手段とを少なくとも備えている。コンピュータプログラムは、このようなコンピュータに、上述の各手段の機能を実現させるプログラムコードを含んでいる。なお、上述の機能の一部は、アプリケーションプログラムでなく、オペレーションシステムによって実現されていても良い。
【００６４】
なお、この発明における「記録媒体」としては、フレキシブルディスクやＣＤ−ＲＯＭ、ＤＶＤ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置等の、コンピュータが読取り可能な種々の媒体を利用できる。
【００６５】
図３は、図１の投写型表示装置すなわちプロジェクタＰＪ１の概略構成を示す説明図である。プロジェクタＰＪ１は、ＣＰＵ１００と、外部記憶装置１０２と、ＲＯＭやＲＡＭなどの内部記憶装置１０４と、アナログ画像信号入力部１０８と、画像処理部１１０と、液晶ライトバルブ駆動部１２０と、液晶ライトバルブ１３０と、装飾画像処理部１４０と、メニュー画像処理部１５０と、リモコン信号処理部１６０と、メモリカードＭＣに格納された画像ファイルなどを読み取るためのメモリカード制御部１７０と、ＵＳＢインタフェース部１８０を備えている。液晶ライトバルブ１３０は、照明光学系２００によってほぼ均一に照明されており、液晶ライトバルブ１３０において形成された画像光は、投写光学系２２０によってスクリーンＳＣ上に投写される。図３において、光学系２００，２２０の図示は、簡略化されている。
【００６６】
アナログ画像信号入力部１０８は、外部の画像供給装置（図示せず）からアナログ画像信号ＡＶ１が供給される場合には、アナログ画像信号ＡＶ１をＡＤ変換し、デジタル画像データＤＶ１を出力する機能を有している。なお、アナログ画像信号ＡＶ１としては、例えば、パーソナルコンピュータから供給されたコンピュータ画像を表すＲＧＢ信号や、ビデオレコーダやテレビジョン受信機から供給された動画を表すコンポジット画像信号などの画像信号が供給される。
【００６７】
画像処理部１１０は、供給される原画像データと装飾画像データとを合成した合成画像データを生成する機能を有している。これにより、原画像データによって表される原画像ＯＲＧに、装飾画像データによって表されるポインタ画像ＰＰＪなどの装飾画像が重畳された画像をスクリーンＳＣ上に表示させることができる。画像処理部１１０は、供給された原画像データを図示しないフレームメモリに一旦書き込み、フレームメモリに書き込まれた原画像データを読み出す際に、原画像データと装飾画像データとを合成し、合成された画像データＤＶ２を液晶ライトバルブ駆動部１２０に供給する。
【００６８】
原画像データとしては、アナログ画像信号入力部１０８から供給される画像データＤＶ１や、内部記憶装置１０４から供給されるページ毎のページ画像データ、メニュー画像処理部１５０から供給されるメニュー画像データ、メモリカードＭＣから読み取られてメモリカード制御部１７０から供給される画像データなどが用いられる。一方、装飾画像データとしては、装飾画像処理部１４０から供給される装飾画像データが用いられる。ここで、装飾画像とは、原画像とは独立して準備される画像を意味しており、原画像内に重畳されることによりスクリーンＳＣ上に表示される。
【００６９】
液晶ライトバルブ駆動部１２０は、画像処理部１１０から供給された画像データＤＶ２に応じて、画像表示データＳＤを生成する。液晶ライトバルブ１３０は、画像表示データＳＤによって駆動される。このとき、液晶ライトバルブ１３０は、照明光学系２００からの光を変調し、画像を表す画像光を形成する。
【００７０】
装飾画像処理部１４０は、装飾画像を表す装飾画像データを生成して、画像処理部１１０に供給する機能を有している。具体的には、装飾画像処理部１４０は、ポインタ画像ＰＰＪを表すポインタ画像データや、ポインタ画像ＰＰＪを用いて範囲指定することにより所望のサイズで作成される特定形状の画像（例えば、指差し画像）や描画画像（例えば、ボックス画像や囲み枠画像）などの種々の装飾画像データを生成して、画像処理部１１０に供給する。
【００７１】
メニュー画像処理部１５０は、メニュー画像を表すメニュー画像データを生成して画像処理部１１０に供給する機能を有している。ユーザは、メニュー画像に従って、プロジェクタＰＪ１に関する種々の設定を行うことができる。
【００７２】
ＵＳＢインタフェース部１８０は、コンピュータＰＣ１から供給されるシナリオファイルＳＦや画像ファイルＰＦを受け取り、バス１００ｂを介して内部記憶装置１０４に供給する機能を有している。
【００７３】
内部記憶装置１０４は、シナリオファイルＳＦを再生するためのシナリオ再生部１０５Ａと、供給されたシナリオファイルＳＦや画像ファイルＰＦを格納するシナリオ記憶領域１０７とを備えている。シナリオ再生部１０５Ａは、シナリオファイルＳＦに従って画像ファイルＰＦを読み出し、ページ毎のページ画像データを原画像データとして画像処理部１１０に供給する。ただし、本実施例のシナリオ再生部１０５Ａが読み出す画像ファイルの形式は１つの形式のみであり、この形式は、素材ファイルの形式とは異なる所定形式である。
【００７４】
なお、本実施例では、ＵＳＢインタフェース部１８０から供給されたシナリオファイルＳＦや画像ファイルＰＦは、内部記憶装置１０４内のシナリオ記憶領域１０７に格納されているが、外部記憶装置１０２やメモリカード制御部１７０に装着されたメモリカードＭＣに格納されるようにしてもよい。また、ＵＳＢインタフェース部１８０を用いずに、コンピュータＰＣ１において、シナリオファイルＳＦや画像ファイルＰＦをメモリカードＭＣに書き込むようにしてもよい。この場合には、メモリカードＭＣをメモリカード制御部１７０に装着して、メモリカードＭＣからシナリオファイルＳＦや画像ファイルＰＦを読み出すようにすればよい。
【００７５】
リモコン信号処理部１６０は、リモコンＲＭからの制御信号に基づいてプロジェクタＰＪ１の各部の機能を制御する。例えば、リモコン信号処理部１６０は、リモコンＲＭからの制御信号に基づいて、装飾画像処理部１４０の機能を制御し、原画像ＯＲＧ内の所望の位置にポインタ画像ＰＰＪを重畳させることができる。
【００７６】
図４は、図１のシナリオ作成・再生システムにおける一連の処理手順を示すフローチャートである。なお、ステップＳ１０１〜Ｓ１０６までは、コンピュータＰＣ１の処理を示しており、ステップＳ１０７は、プロジェクタＰＪ１の処理を示している。
【００７７】
ステップＳ１０１では、コンピュータＰＣ１の表示部３５０（図２）にシナリオ作成部３３２Ａに処理を実行させるための実行用アイコンが表示されている。図５は、表示部３５０に表示されるデスクトップ画面を示す説明図である。図示するように、デスクトップ画面には、シナリオ作成部３３２Ａに処理を実行させるための実行用アイコンＥＩが含まれている。
【００７８】
ステップＳ１０２では、ユーザは、入力部３６０のマウスＭＳ（図２）を操作して、図５に示すように、所定形式の素材ファイルのファイルアイコンＦＩを実行用アイコンＥＩにドラッグ・アンド・ドロップする。
【００７９】
ここで、所定形式の素材ファイルとは、ページ毎のシナリオ情報と画像情報とを含む素材ファイルを意味しており、本実施例では、PowerPoint（Microsoft 社の商標）を用いて生成されたＰＰＴ形式のファイル（以下、「ＰＰＴファイル」とも呼ぶ）などを想定している。
【００８０】
また、ドラッグ・アンド・ドロップ処理とは、アイコンにマウスポインタを合わせてドラッグし、そのアイコンを他のアイコンなどに重ね合わせてドロップする処理を意味している。具体的には、ステップＳ１０２におけるドラッグ・アンド・ドロップ処理は、次の一連の処理を意味している。すなわち、表示部３５０に表示されたファイルアイコンＦＩにマウスポインタＰＰＣを合わせ、マウスＭＳに設けられたスイッチを押し、押したままマウスＭＳを移動させることにより、ファイルアイコンＦＩを移動させる（ドラッグ処理）。そして、ファイルアイコンＦＩを実行用アイコンＥＩに重ね合わせて、マウスＭＳのスイッチを離す（ドロップ処理）。
【００８１】
ステップＳ１０３では、ステップＳ１０２のドラッグ・アンド・ドロップ処理により、シナリオ作成プログラムが起動する。このとき、コンピュータＰＣ１の外部記憶装置３１０（図２）に格納されていたプログラムは、ＲＡＭ３３０内に展開され、シナリオ作成部３３２Ａとして機能する。
【００８２】
ステップＳ１０４では、シナリオ作成部３３２Ａは、作成されたシナリオファイルを供給すべき供給先を設定するためのダイアログボックス（図示せず）を表示部３５０に表示させる。本実施例では、ユーザは、ＵＳＢインタフェース部３８０を介して接続されたプロジェクタＰＪ１（図２）を、シナリオファイルの供給先として設定する。
【００８３】
ステップＳ１０５では、シナリオ作成部３３２Ａは、所定形式の素材ファイル（ＰＰＴファイル）に含まれるページ毎のシナリオ情報に基づいてシナリオファイルＳＦを作成し、ページ毎の画像情報に基づいて所定形式の画像ファイルを作成する。ここで、所定形式の画像ファイルとは、シナリオ再生装置であるプロジェクタＰＪ１に適した形式の画像ファイルを意味しており、本実施例では、ＪＰＥＧ形式の画像ファイル（以下、「ＪＰＥＧファイル」とも呼ぶ）を想定している。
【００８４】
ステップＳ１０６では、シナリオ作成部３３２Ａは、ステップＳ１０５で作成されたシナリオファイルＳＦと画像ファイルＰＦとを、ＵＳＢインタフェース部３８０を介してプロジェクタＰＪ１に供給する。なお、前述したように、本実施例では、シナリオファイルＳＦと画像ファイルＰＦとは、プロジェクタＰＪ１の内部記憶装置１０４内のシナリオ記憶領域１０７（図３）に格納される。
【００８５】
ステップＳ１０７では、プロジェクタＰＪ１は、供給されたシナリオファイルＳＦに従って処理を実行する。この際、ユーザは、リモコンＲＭを用いて、プロジェクタＰＪ１の内部記憶装置１０４などに格納された複数のシナリオファイルから所望のシナリオファイルを選択するための選択画面を表示させ、所望のシナリオファイルを選択する。図６は、プロジェクタＰＪ１によって表示されるシナリオファイル選択画面ＳＳＭを示す説明図である。なお、このシナリオファイル選択画面ＳＳＭは、リモコン信号処理部１６０からの命令に従って、メニュー画像処理部１５０がシナリオファイル選択画面を表す画像データを生成し、画像処理部１１０に供給することによってスクリーンＳＣ上に表示される。ユーザは、シナリオファイル選択画面ＳＳＭにおいて、リモコンＲＭを用いて所望のシナリオファイルを選択する。なお、図６のシナリオファイル選択画面ＳＳＭでは、「シナリオファイルＢ」が選択されている。
【００８６】
シナリオファイル選択画面ＳＳＭにおいてシナリオファイルが選択されると、内部記憶装置１０４内のシナリオ再生部１０５Ａは、シナリオ記憶領域１０７内のシナリオファイルＳＦに従って、シナリオ記憶領域１０７内に格納された画像ファイルＰＦを順次読み出し、ページ毎のページ画像データを原画像データとして画像処理部１１０に供給する。これにより、プロジェクタＰＪ１は、スクリーンＳＣ上に、画像をページ毎に順次投写表示することが可能となる。
【００８７】
なお、本実施例では、シナリオファイル選択画面ＳＳＭ（図６）においてシナリオファイルが選択された後に、シナリオファイルに従った処理が実行されているが、コンピュータＰＣ１からプロジェクタＰＪ１にシナリオファイルＳＦおよび画像ファイルＰＦが供給されると同時に、シナリオファイルＳＦに従った処理が実行されるようにしてもよい。
【００８８】
図７は、プロジェクタＰＪ１に供給されたシナリオファイルの内容の一例を示す説明図である。なお、図７の右方に付された符号「Ｌ１」等は、行番号を示す便宜上の符号であり、実際のシナリオファイルには含まれていない。行番号Ｌ１の「begin 」および行番号Ｌ１７の「end 」は、それぞれシナリオファイルに従った処理の開始および終了を意味するコマンドであり、実際には、行番号Ｌ２〜Ｌ１６のコマンドに従って処理が実行される。
【００８９】
シナリオファイルＳＦ１の行番号Ｌ２，Ｌ４，Ｌ６，Ｌ９，Ｌ１１，Ｌ１３，Ｌ１５に含まれる「Display 」コマンドは、それに続く「Page1.jpg 」，「Page2.jpg 」，…などのＪＰＥＧファイルを読み出して、画像を投写表示させるコマンドである。なお、行番号Ｌ２，Ｌ４，Ｌ６，Ｌ９，Ｌ１１，Ｌ１３，Ｌ１５の処理により、ステップＳ１０２（図４）で選択された素材ファイル（ＰＰＴファイル）に含まれるページ毎の画像が、ページ順に投写表示されることとなる。
【００９０】
シナリオファイルＳＦ１の行番号Ｌ３，Ｌ５，Ｌ８に含まれる「Pause 」コマンドは、ユーザからの入力があるまで、直前の処理を維持するためのコマンドである。例えば、行番号Ｌ２で画像が投写表示されると、ユーザがリモコンＲＭなどで次の処理への移行を指示するまで、行番号Ｌ２で指定された画像が表示される。これにより、ユーザは、投写表示される画像を所望のタイミングでページ毎に切り替えることが可能となる。
【００９１】
ところで、PowerPoint（Microsoft 社の商標）では、各ページの画像に音声を組み合わせたり、各ページの画像の表示時間を設定したりすることが可能となっている。このため、ＰＰＴファイルのシナリオ情報には、ページ毎の音声情報や表示時間情報が含まれる場合がある。本実施例のシナリオ作成部３３２Ａは、このようなシナリオ情報に従って、シナリオファイルを作成することが可能となっている。なお、シナリオ作成部３３２Ａは、ＰＰＴファイルに音声データが含まれている場合には、音声ファイルを作成してプロジェクタＰＪ１に供給する。
【００９２】
シナリオファイルＳＦ１（図７）の行番号Ｌ７に含まれる「Play」コマンドは、ＰＰＴファイルのシナリオ情報に含まれる音声情報に基づいて作成されたコマンドである。「Play」コマンドは、それに続く音声ファイル「Wave1.wav 」を読み出して、音声を再生させるコマンドである。これにより、画像を投写表示するとともに、効果音や内容説明などの音声を再生することができるので、プレゼンテーションを効果的に行うことが可能となる。なお、音声は、プロジェクタＰＪ１内の図示しないスピーカから出力される。
【００９３】
また、シナリオファイルＳＦ１の行番号Ｌ１０，Ｌ１２，Ｌ１４，Ｌ１６に含まれる「Wait」コマンドは、ＰＰＴファイルのシナリオ情報に含まれる表示時間情報に基づいて作成されたコマンドである。「Wait」コマンドは、直前の処理を指定された時間だけ維持するためのコマンドである。例えば、行番号Ｌ９で画像が表示されると、「Wait」コマンドに続く「10000msec 」間だけ画像を表示した後に、次の行番号Ｌ１１の処理へ移行する。これにより、投写表示される画像を自動的にページ送りすることが可能となる。
【００９４】
上記のように、プロジェクタＰＪ１は、ステップＳ１０７において、図７に示すようなシナリオファイルＳＦ１に従って、供給された画像ファイル（ＪＰＥＧファイル）を読み出し、ページ毎に画像を順次投写表示する。
【００９５】
以上説明したように、本実施例のコンピュータＰＣ１は、シナリオ作成部３３２Ａを備えており、シナリオ作成装置として機能する。シナリオ作成部３３２Ａは、表示部３５０に、シナリオ作成部３３２Ａに処理を実行させるための実行用アイコンＥＩを表示させ、マウスＭＳの操作により、ページ毎のシナリオ情報と画像情報とを含む所定形式の素材ファイル（ＰＰＴファイル）のファイルアイコンＦＩが実行用アイコンＥＩにドラッグ・アンド・ドロップされると、シナリオ情報に基づいてシナリオファイルＳＦを作成し、画像情報に基づいて所定形式の画像ファイル（ＪＰＥＧファイル）ＰＦを生成する。
【００９６】
このようなシナリオ作成装置ＰＣ１を用いれば、所定形式の素材ファイルを用いて、シナリオファイルと所定形式の画像ファイルとを容易に作成することが可能となる。また、このようなシナリオファイルと所定形式の画像ファイルとを、所定形式の画像ファイルのみを再生可能なプロジェクタＰＪ１などのシナリオ再生装置に供給すれば、ページ毎の画像を容易に順次表示させることが可能となる。
【００９７】
Ａ−１．第１実施例の変形例：
上記実施例では、コンピュータＰＣ１は、入力部３６０として、マウスＭＳを備えているが、マウスＭＳに代えて、タブレットや、トラックボール、トラックパッド、ジョイスティックなどの他のポインティングデバイスを備えるようにしてもよい。これらのポインティングデバイスも、マウスＭＳと同様の機能を有しており、本発明におけるポインティングデバイスに相当する。
【００９８】
また、上記実施例では、プロジェクタＰＪ１が再生する所定形式の画像ファイルとして、ＪＰＥＧファイルを説明した。ただし、ＪＰＥＧファイルの代わりに、ＧＩＦファイルやＴＩＦＦファイルであってもよい。すなわち、素材ファイルの形式と異なる形式を有する画像ファイルであればよい。
【００９９】
Ｂ．第２実施例：
次に、本発明の実施の形態を実施例に基づき説明する。図８は、第２実施例におけるシナリオ作成・再生システムを示す説明図である。このシナリオ作成・再生システムは、シナリオ作成装置およびシナリオ供給装置としての機能を有するコンピュータＰＣ２と、シナリオ再生装置としての機能を有する投写型表示装置すなわちプロジェクタＰＪ２とを備えている。コンピュータＰＣ２とプロジェクタＰＪ２とは、ネットワークＮＷを介して互いに接続されている。また、このシナリオ作成・再生システムでは、ネットワークＮＷ上にファイルサーバＳＢが接続されている。なお、本実施例では、ネットワークＮＷとしてＬＡＮを想定している。
【０１００】
なお、本実施例のプロジェクタＰＪ２は、シナリオファイルに従って、複数形式の素材ファイルを再生可能である。このため、本実施例のコンピュータＰＣ２は、シナリオファイルＳＦのみを作成してプロジェクタＰＪ２に供給する。なお、コンピュータＰＣ２内に格納されている素材ファイルＭＦは、プロジェクタＰＪ２やファイルサーバＳＢに供給されて格納される。プロジェクタＰＪ２は、供給されたシナリオファイルＳＦに従って、プロジェクタＰＪ２やファイルサーバＳＢに格納された素材ファイルＭＦを読み出し、素材ファイルＭＦに応じたページ画像ＯＲＧをスクリーンＳＣ上に表示させる。
【０１０１】
なお、本明細書において、「ページ」とは、指定された順序に基づいて、個々に表示されるプレゼンテーションシート（スライド）を意味している。そして、「ページ画像」は、プレゼンテーションシートによって表される画像を意味しており、各ページ画像内には、文字や絵柄などが含まれている。スクリーンＳＣ等に表示されるページ毎の画像は、一つのページ画像の全体を表す全体画像であってもよいし、一つのページ画像の一部を表す部分画像であってもよい。
【０１０２】
図９は、図８のコンピュータＰＣ２の概略構成を示す説明図である。コンピュータＰＣ２は、ＣＰＵ３００と、外部記憶装置３１０と、ＲＯＭ３２０と、ＲＡＭ３３０と、表示部３５０と、マウスＭＳやキーボードＫＢなどの入力部３６０と、ネットワークインタフェース部３９０とを備えている。コンピュータＰＣ２は、ネットワークインタフェース部３９０を介してプロジェクタＰＪ２と接続されている。
【０１０３】
ＲＡＭ３３０内には、シナリオ作成部３３２Ｂの機能を実現するシナリオ作成プログラムが格納されている。シナリオ作成部３３２Ｂは、複数形式の複数の素材ファイルを組み合わせてシナリオファイルＳＦを作成する機能を有している。
【０１０４】
また、シナリオ作成部３３２Ｂは、ネットワークインタフェース部３９０を介して、シナリオファイルＳＦをプロジェクタＰＪ２に供給する機能を有している。すなわち、本実施例のシナリオ作成部３３２Ｂとネットワークインタフェース部３９０とは、シナリオファイルＳＦをプロジェクタＰＪ２に供給するシナリオ供給部としての機能を有している。さらに、シナリオ作成部３３２Ｂは、ネットワークインタフェース部３９０を介して、素材ファイルＭＦをプロジェクタＰＪ２やファイルサーバＳＢに供給する機能を有している。
【０１０５】
なお、上記のシナリオ作成部３３２Ｂの機能を実現するコンピュータプログラムは、フレキシブルディスクやＣＤ−ＲＯＭ等の、コンピュータ読み取り可能な記録媒体に記録された形態で提供される。コンピュータは、その記録媒体からコンピュータプログラムを読み取って内部記憶装置または外部記憶装置に転送する。あるいは、通信経路を介してコンピュータにコンピュータプログラムを供給するようにしてもよい。コンピュータプログラムの機能を実現する時には、内部記憶装置に格納されたコンピュータプログラムがコンピュータのマイクロプロセッサによって実行される。また、記録媒体に記録されたコンピュータプログラムをコンピュータが読み取って直接実行するようにしてもよい。
【０１０６】
この明細書において、コンピュータとは、ハードウェア装置とオペレーションシステムとを含む概念であり、オペレーションシステムの制御の下で動作するハードウェア装置を意味している。また、オペレーションシステムが不要でアプリケーションプログラム単独でハードウェア装置を動作させるような場合には、そのハードウェア装置自体がコンピュータに相当する。ハードウェア装置は、ＣＰＵ等のマイクロプロセッサと、記録媒体に記録されたコンピュータプログラムを読み取るための手段とを少なくとも備えている。コンピュータプログラムは、このようなコンピュータに、上述の各手段の機能を実現させるプログラムコードを含んでいる。なお、上述の機能の一部は、アプリケーションプログラムでなく、オペレーションシステムによって実現されていても良い。
【０１０７】
なお、この発明における「記録媒体」としては、フレキシブルディスクやＣＤ−ＲＯＭ、ＤＶＤ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置等の、コンピュータが読取り可能な種々の媒体を利用できる。
【０１０８】
図１０は、図８のプロジェクタＰＪ２の概略構成を示す説明図である。プロジェクタＰＪ２は、ＣＰＵ１００と、外部記憶装置１０２と、ＲＯＭやＲＡＭなどの内部記憶装置１０４と、アナログ画像信号入力部１０８と、画像処理部１１０と、液晶ライトバルブ駆動部１２０と、液晶ライトバルブ１３０と、装飾画像処理部１４０と、メニュー画像処理部１５０と、リモコン信号処理部１６０と、メモリカードＭＣに格納された画像ファイルなどを読み取るためのメモリカード制御部１７０と、ネットワークインタフェース部１９０を備えている。液晶ライトバルブ１３０は、照明光学系２００によってほぼ均一に照明されており、液晶ライトバルブ１３０において形成された画像光は、投写光学系２２０によってスクリーンＳＣ上に投写される。図１０において、光学系２００，２２０の図示は、簡略化されている。
【０１０９】
アナログ画像信号入力部１０８は、外部の画像供給装置（図示せず）からアナログ画像信号ＡＶ１が供給される場合には、アナログ画像信号ＡＶ１をＡＤ変換し、デジタル画像データＤＶ１を出力する機能を有している。なお、アナログ画像信号ＡＶ１としては、例えば、パーソナルコンピュータから供給されたコンピュータ画像を表すＲＧＢ信号や、ビデオレコーダやテレビジョン受信機から供給された動画を表すコンポジット画像信号などの画像信号が供給される。
【０１１０】
画像処理部１１０は、供給される原画像データと装飾画像データとを合成した合成画像データを生成する機能を有している。これにより、原画像データによって表される原画像ＯＲＧに、装飾画像データによって表されるポインタ画像ＰＰＪなどの装飾画像が重畳された画像をスクリーンＳＣ上に表示させることができる。画像処理部１１０は、供給された原画像データを図示しないフレームメモリに一旦書き込み、フレームメモリに書き込まれた原画像データを読み出す際に、原画像データと装飾画像データとを合成し、合成された画像データＤＶ２を液晶ライトバルブ駆動部１２０に供給する。
【０１１１】
原画像データとしては、アナログ画像信号入力部１０８から供給される画像データＤＶ１や、内部記憶装置１０４から供給されるページ毎のページ画像データ、メニュー画像処理部１５０から供給されるメニュー画像データ、メモリカードＭＣから読み取られてメモリカード制御部１７０から供給される画像データなどが用いられる。一方、装飾画像データとしては、装飾画像処理部１４０から供給される装飾画像データが用いられる。ここで、装飾画像とは、原画像とは独立して準備される画像（付加画像）を意味しており、原画像内に重畳（付加）されることによりスクリーンＳＣ上に表示される。
【０１１２】
液晶ライトバルブ駆動部１２０は、画像処理部１１０から供給された画像データＤＶ２に応じて、画像表示データＳＤを生成する。液晶ライトバルブ１３０は、画像表示データＳＤによって駆動される。このとき、液晶ライトバルブ１３０は、照明光学系２００からの光を変調し、画像を表す画像光を形成する。
【０１１３】
装飾画像処理部１４０は、装飾画像を表す装飾画像データを生成して、画像処理部１１０に供給する機能を有している。具体的には、装飾画像処理部１４０は、ポインタ画像ＰＰＪを表すポインタ画像データや、ポインタ画像ＰＰＪを用いて範囲指定することにより所望のサイズで作成される特定形状の画像（例えば、指差し画像）や描画画像（例えば、ボックス画像や囲み枠画像）などの種々の装飾画像データを生成して、画像処理部１１０に供給する。
【０１１４】
メニュー画像処理部１５０は、メニュー画像を表すメニュー画像データを生成して画像処理部１１０に供給する機能を有している。ユーザは、メニュー画像に従って、プロジェクタＰＪ２に関する種々の設定を行うことができる。
【０１１５】
ネットワークインタフェース部１９０は、プロジェクタＰＪ２をＬＡＮに接続し、コンピュータＰＣ２からＬＡＮを介して供給されるシナリオファイルＳＦや、シナリオファイルＳＦで用いられる素材ファイルＭＦを受け取り、バス１００ｂを介して内部記憶装置１０４に供給する機能を有している。
【０１１６】
内部記憶装置１０４は、供給されたシナリオファイルＳＦを再生するためのシナリオ再生部１０５Ｂと、ネットワークインタフェース部１９０から供給されたシナリオファイルＳＦや素材ファイルＭＦを格納するシナリオ記憶領域１０７とを備えている。
【０１１７】
なお、本実施例では、ネットワークインタフェース部１９０から供給されたシナリオファイルＳＦや素材ファイルＭＦは、内部記憶装置１０４内のシナリオ記憶領域１０７に格納されているが、外部記憶装置１０２やメモリカード制御部１７０に装着されたメモリカードＭＣに格納されるようにしてもよい。また、ネットワークインタフェース部１９０を用いずに、コンピュータＰＣ２において、シナリオファイルＳＦや画像ファイルＰＦをメモリカードＭＣに書き込むようにしてもよい。この場合には、メモリカードＭＣをメモリカード制御部１７０に装着して、メモリカードＭＣからシナリオファイルＳＦや画像ファイルＰＦを読み出すようにすればよい。
【０１１８】
シナリオ再生部１０５Ｂは、複数種類のアプリケーションプログラムで作成された複数形式の素材ファイルＭＦを読み出すことができる。すなわち、シナリオ再生部１０５Ｂは、複数種類のアプリケーションプログラムで作成された複数形式の素材ファイルＭＦの内容を見ることのできるビューア機能を備えている。シナリオ再生部１０５Ｂは、シナリオファイルＳＦに従って、シナリオ記憶領域１０７やファイルサーバＳＢに格納された素材ファイルＭＦを読み出し、ページ毎のページ画像データを原画像データとして画像処理部１１０に供給する。
【０１１９】
リモコン信号処理部１６０は、リモコンＲＭからの制御信号に基づいてプロジェクタＰＪ２の各部の機能を制御する。例えば、リモコン信号処理部１６０は、リモコンＲＭからの制御信号に基づいて、装飾画像処理部１４０の機能を制御し、原画像ＯＲＧ内の所望の位置にポインタ画像ＰＰＪを重畳させることができる。
【０１２０】
なお、以上の説明からも分かるように、本実施例におけるＣＰＵ１００と画像処理部１１０とシナリオ再生部１０５Ｂとが、本発明におけるページ画像処理部に相当する。
【０１２１】
図１１は、図８のシナリオ作成・再生システムにおける一連の処理手順を示すフローチャートである。なお、ステップＳ２０１〜Ｓ２０５までは、コンピュータＰＣ２の処理を示しており、ステップＳ２０６は、プロジェクタＰＪ２の処理を示している。
【０１２２】
ステップＳ２０１では、コンピュータＰＣ２の表示部３５０に表示されたシナリオ作成部３３２Ｂに処理を実行させるための実行用アイコン（図示せず）をマウスＭＳでダブルクリックして、シナリオ作成プログラムを起動させる。このとき、コンピュータＰＣ２の外部記憶装置３１０（図９）に格納されていたプログラムは、ＲＡＭ３３０内に展開され、シナリオ作成部３３２Ｂとして機能する。
【０１２３】
ステップＳ２０２では、シナリオ作成部３３２Ｂが表示部３５０にシナリオ作成用ウィンドウを表示させる。
【０１２４】
図１２は、表示部３５０に表示されるシナリオ作成用ウィンドウＳＭＷを示す説明図である。図示するように、シナリオ作成用ウィンドウＳＭＷは、図中左側のファイル管理領域ＭＮＡと、右側下方の縮小画像表示領域ＳＰＡと、右側上方の選択素材ファイル情報領域ＳＦＡとを含んでいる。
【０１２５】
ファイル管理領域ＭＮＡは、階層構造で管理されたフォルダを示すフォルダ領域Ａ１と、フォルダ領域Ａ１で指定されたフォルダ内のファイルを示すファイル領域Ａ２とを備えている。ユーザは、所望の素材ファイルが格納されたフォルダをフォルダ領域Ａ１で指定し、ファイル領域Ａ２に所望の素材ファイルのファイルアイコンを表示させることができる。
【０１２６】
なお、ファイル管理領域ＭＮＡには、ネットワークＮＷに接続されたファイルサーバＳＢなどの他の外部装置内に格納された素材ファイルのファイルアイコンを表示させることも可能である。
【０１２７】
縮小画像表示領域ＳＰＡは、ファイル管理領域ＭＮＡで指定された素材ファイルが、ページ毎のシナリオ情報と画像情報とを含む所定形式の素材ファイルである場合に、ページ毎の画像情報をページ毎に縮小画像で表示する領域である。本実施例では、上記の所定形式の素材ファイルとして、PowerPoint（Microsoft 社の商標）を用いて生成されたＰＰＴ形式のファイル（以下、「ＰＰＴファイル」とも呼ぶ）などを想定している。このように、縮小画像が表示されれば、ページ毎の画像の内容を容易に確認することができる。
【０１２８】
選択素材ファイル情報領域ＳＦＡは、ユーザによって選択された素材ファイルの情報（選択素材ファイル情報）を、ユーザによって指定された順序で表示するための領域である。なお、シナリオ作成部３３２Ｂ（図９）は、この選択素材ファイル情報領域ＳＦＡ内の表示内容に応じてシナリオファイルを作成する。
【０１２９】
図１１のステップＳ２０３では、ユーザが素材ファイルを選択して、選択された素材ファイルの情報（選択素材ファイル情報）を選択素材ファイル情報領域ＳＦＡ内に表示させる。
【０１３０】
具体的には、ユーザが、マウスＭＳを操作することにより、ファイル管理領域ＭＮＡに表示される素材ファイルのファイルアイコンを選択し、選択素材ファイル情報領域ＳＦＡ内にドラッグ・アンド・ドロップする。これにより、選択素材ファイル情報領域ＳＦＡ内には、ユーザによって選択された素材ファイルに関する選択素材ファイル情報が表示される。
【０１３１】
あるいは、ユーザが、マウスＭＳを操作することにより、縮小画像表示領域ＳＰＡに表示されるページ毎の縮小画像を選択し、選択素材ファイル情報領域ＳＦＡ内にドラッグ・アンド・ドロップする。これによっても、選択素材ファイル情報領域ＳＦＡ内には、ユーザによって選択された素材ファイルに関する選択素材ファイル情報が表示される。
【０１３２】
ここで、ドラッグ・アンド・ドロップ処理とは、アイコン等にマウスポインタを合わせてドラッグし、そのアイコン等を他のアイコンや領域などに重ね合わせてドロップする処理を意味している。具体的には、ステップＳ２０３におけるドラッグ・アンド・ドロップ処理は、次の一連の処理を意味している。すなわち、ファイル管理領域ＭＮＡに表示されるファイルアイコンや縮小画像表示領域ＳＰＡに表示される縮小画像にマウスポインタを合わせて、マウスＭＳに設けられたスイッチを押したままマウスＭＳを移動させることによりファイルアイコンや縮小画像を移動させる（ドラッグ処理）。そして、ファイルアイコンや縮小画像を選択素材ファイル情報領域ＳＦＡに重ね合わせて、マウスＭＳのスイッチを離す（ドロップ処理）。
【０１３３】
なお、上記の素材ファイルのファイルアイコンや縮小画像の選択は、ネットワークＮＷに接続されたファイルサーバＳＢなどの他の外部装置内に格納された素材ファイルについても行うことができる。これにより、他の外部装置内に格納された素材ファイルを選択して、シナリオファイルを作成することが可能となる。
【０１３４】
また、素材ファイルの選択は、複数形式の素材ファイルについて行うことが可能である。すなわち、本実施例のシナリオ作成部３３２Ｂは、複数形式の素材ファイルを利用してシナリオファイルを作成することができる。
【０１３５】
ところで、図１２の選択素材ファイル情報領域ＳＦＡに示すように、各選択素材ファイル情報は、選択された素材ファイルの作成者と、ファイル名と、素材ファイル内のページを指定するページ指定情報と、指定されたページを表す縮小ページ画像とを含んでいる。ページ指定情報は、ユーザが、ファイル管理領域ＭＮＡに表示される素材ファイルのファイルアイコンを選択素材ファイル情報領域ＳＦＡ内にドラッグ・アンド・ドロップする際に設定される。すなわち、ユーザが素材ファイルのファイルアイコンを選択素材ファイル情報領域ＳＦＡ内にドラッグ・アンド・ドロップすると、シナリオ作成部３３２Ｂはダイアログボックス（図示せず）を表示させ、ユーザはダイアログボックス内で所望のページを指定する。一方、ユーザが、縮小画像表示領域ＳＰＡに表示されるページ毎の縮小画像を選択素材ファイル情報領域ＳＦＡ内にドラッグ・アンド・ドロップする際には、上記のダイアログボックスは表示されず、ページ指定情報は選択素材ファイル情報に自動的に含まれることとなる。
【０１３６】
また、選択素材ファイル情報領域ＳＦＡ内には、各選択素材ファイル情報がユーザによって指定された順序で表示されている。ユーザは、選択素材ファイル情報領域ＳＦＡ内の各選択素材ファイル情報の並び順を変更することができる。なお、並び順の変更は、各選択素材ファイル情報が表示される短冊形の情報表示画像ＩＰをドラッグ・アンド・ドロップすることによって実行される。
【０１３７】
上記のようにして選択素材ファイル情報領域ＳＦＡに所望の選択素材ファイル情報が所望の順序で表示されると、ステップＳ２０４（図１１）においてシナリオファイルが作成される。このとき、シナリオ作成部３３２Ｂは、選択素材ファイル情報領域ＳＦＡ内の表示内容に応じてシナリオファイルを作成する。
【０１３８】
ステップＳ２０５では、作成されたシナリオファイルＳＦをプロジェクタＰＪ２に供給する。なお、本実施例では、ネットワークＮＷを介して接続されたプロジェクタＰＪ２が、シナリオファイルＳＦの供給先として予め設定されている。具体的には、ユーザが図１２のシナリオ作成用ウィンドウＳＭＷにおいて、シナリオファイルＳＦを供給すべき供給先を設定するための設定画面（図示せず）を表示させて、設定画面において供給先を設定する。シナリオ作成部３３２Ｂは、作成されたシナリオファイルＳＦをネットワークＮＷを介してプロジェクタＰＪ２に供給する。
【０１３９】
また、シナリオ作成部３３２Ｂは、シナリオファイルＳＦで用いられる素材ファイルＭＦを、ネットワークＮＷを介してプロジェクタＰＪ２やファイルサーバＳＢに供給する。具体的には、シナリオ作成部３３２Ｂは、コンピュータＰＣ２の外部記憶装置３１０などに格納されている素材ファイルＭＦを用いてシナリオファイルを作成した場合には、コンピュータＰＣ２内に格納されている素材ファイルＭＦをプロジェクタＰＪ２やファイルサーバＳＢに供給する。なお、素材ファイルＭＦをファイルサーバＳＢに供給し、プロジェクタＰＪ２に供給しない場合には、プロジェクタＰＪ２の外部記憶装置１０２や内部記憶装置１０４のメモリ容量を比較的小さくできるという利点がある。また、シナリオ作成部３３２Ｂが、ファイルサーバＳＢに格納されている素材ファイルを用いてシナリオファイルを作成した場合には、ファイルサーバＳＢに格納されている素材ファイルについては、プロジェクタＰＪ２に供給されない。
【０１４０】
ステップＳ２０６では、プロジェクタＰＪ２は、供給されたシナリオファイルに従って処理を実行する。この際、ユーザは、リモコンＲＭを用いて、プロジェクタＰＪ２の内部記憶装置１０４などに格納された複数のシナリオファイルから所望のシナリオファイルを選択するための選択画面を表示させ、所望のシナリオファイルを選択することができる。図１３は、プロジェクタＰＪ２によって表示されるシナリオファイル選択画面ＳＳＭを示す説明図である。なお、このシナリオファイル選択画面ＳＳＭは、リモコン信号処理部１６０からの命令に従って、メニュー画像処理部１５０がシナリオファイル選択画面を表す画像データを生成し、画像処理部１１０に供給することによってスクリーンＳＣ上に表示される。ユーザは、シナリオファイル選択画面ＳＳＭにおいて、リモコンＲＭを用いて所望のシナリオファイルを選択する。なお、図１３のシナリオファイル選択画面ＳＳＭでは、「シナリオファイルＢ」が選択されている。
【０１４１】
シナリオファイル選択画面ＳＳＭにおいて、シナリオファイルが選択されると、内部記憶装置１０４内のシナリオ再生部１０５Ｂは、シナリオ記憶領域１０７内の選択されたシナリオファイルＳＦに従って、素材ファイルＭＦを読み出し、ページ毎のページ画像データを原画像データとして画像処理部１１０に供給する。素材ファイルＭＦは、シナリオファイルＳＦで指定された記憶領域から読み出される。すなわち、素材ファイルＭＦがプロジェクタＰＪ２のシナリオ記憶領域１０７に格納されている場合には、シナリオ再生部１０５Ｂはシナリオ記憶領域１０７から素材ファイルを読み出す。また、素材ファイルＭＦがファイルサーバＳＢ内の記憶領域に格納されている場合には、シナリオ再生部１０５ＢはファイルサーバＳＢから素材ファイルを読み出す。これにより、プロジェクタＰＪ２は、スクリーンＳＣ上に、画像をページ毎に順次投写表示することが可能となる。
【０１４２】
なお、本実施例では、シナリオファイル選択画面ＳＳＭ（図１３）においてシナリオファイルが選択された後に、シナリオファイルに従った処理が実行されているが、コンピュータＰＣ２からプロジェクタＰＪ２にシナリオファイルＳＦが供給されると同時に、シナリオファイルＳＦに従った処理が自動的に実行されるようにしてもよい。
【０１４３】
図１４は、プロジェクタＰＪ２に供給されたシナリオファイルの内容の一例を示す説明図である。なお、図１４の右方に付された符号「Ｌ１」等は、行番号を示す便宜上の符号であり、実際のシナリオファイルには含まれていない。行番号Ｌ１の「begin 」および行番号Ｌ１６の「end 」は、それぞれシナリオファイルに従った処理の開始および終了を意味するコマンドであり、実際には、行番号Ｌ２〜Ｌ１５のコマンドに従って処理が実行される。
【０１４４】
シナリオファイルＳＦ１の行番号Ｌ２，Ｌ４，Ｌ６，Ｌ８，Ｌ１０，Ｌ１２，Ｌ１４に含まれる「Display 」コマンドは、それに続く素材ファイルを読み出して、画像を投写表示させるコマンドである。「Display 」コマンドには、素材ファイルの格納場所（記憶領域）を示すパス情報とともに、素材ファイル中のページを指定するページ指定情報が含まれている。このため「Display 」コマンドが実行されると、所定の記憶領域に記憶された素材ファイル中の該当ページのみが抽出して読み出される。また、図１４に示すように、本実施例のシナリオファイルは、複数種類のアプリケーションプログラムで作成された複数形式の素材ファイルが組み合わされて作成されている。
【０１４５】
例えば、プロジェクタＰＪ２は、シナリオファイルＳＦ２の行番号Ｌ２に含まれる「Display 」コマンドに続く「\mem\Picture.ppt/page1」に従って、プロジェクタＰＪ２のシナリオ記憶領域１０７内に格納された「Picture.ppt 」ファイルの１ページ目を抽出して読み出す。さらに、行番号Ｌ１０に含まれる「Display 」コマンドに続く「\\SB\FLDA\Document.doc/page2」に従って、ファイルサーバ「ＳＢ」のフォルダ「FLDA」に格納された「Document.doc」ファイルの２ページ目を抽出して読み出す。また、行番号Ｌ１２に含まれる「Display 」コマンドに続く「\\SB\FLDB\Graph.xls/sheet3」に従って、ファイルサーバ「ＳＢ」のフォルダ「FLDB」に格納された「Graph.xls 」ファイルの３シート目（３ページ目）を抽出して読み出す。
【０１４６】
シナリオファイルＳＦ１の行番号Ｌ３，Ｌ５，Ｌ７に含まれる「Pause 」コマンドは、ユーザからの入力があるまで、直前の処理を維持するためのコマンドである。例えば、行番号Ｌ２で画像が投写表示されると、ユーザがリモコンＲＭなどで次の処理への移行を指示するまで、行番号Ｌ２で指定された画像が表示される。これにより、ユーザは、投写表示される画像を所望のタイミングでページ毎に切り替えることができる。
【０１４７】
また、シナリオファイルＳＦ１の行番号Ｌ９，Ｌ１１，Ｌ１３，Ｌ１５に含まれる「Wait」コマンドは、直前の処理を指定された時間だけ維持するためのコマンドである。例えば、行番号Ｌ８で画像が表示されると、「Wait」コマンドに続く「10000msec 」間だけ画像を表示した後に、次の行番号Ｌ１０の処理へ移行する。これにより、投写表示される画像を自動的にページ送りすることが可能となる。
【０１４８】
なお、各ページの画像の表示時間は、図１２のシナリオ作成用ウィンドウＳＭＷにおいて設定することが可能となっている。具体的には、選択素材ファイル情報領域ＳＦＡ内の各選択素材ファイル情報が表示された各情報表示画像ＩＰを選択してダイアログボックス（図示せず）を表示させ、ダイアログボックスにおいて画像の表示時間を設定する。
【０１４９】
このように、プロジェクタＰＪ２は、ステップＳ２０６において、図１４に示すようなシナリオファイルＳＦ１に従って、プロジェクタＰＪ２内の記憶領域やネットワークＮＷに接続されたファイルサーバなどの記憶領域から複数形式の素材ファイルを読み出し、ページ毎に画像を順次投写表示する。
【０１５０】
以上説明したように、本実施例のコンピュータＰＣ２は、シナリオ作成部３３２Ｂを備えており、シナリオ作成装置として機能する。シナリオ作成部３３２Ｂは、表示部３５０に、素材ファイルを表示するためのファイル管理領域ＭＮＡと、ファイル管理領域ＭＮＡにおいてユーザによって選択された素材ファイルの情報をユーザによって指定された順序で表示する選択素材ファイル情報領域ＳＦＡと、ファイル管理領域ＭＮＡ内に表示されるページ毎のシナリオ情報と画像情報とを含む所定形式の素材ファイル（ＰＰＴファイル）について、ページ毎の前記画像情報をページ毎に縮小画像で表示する縮小画像表示領域ＳＰＡと、を含むシナリオ作成用ウィンドウＳＭＷを表示させる。そして、シナリオ作成部３３２Ｂは、選択素材ファイル情報領域ＳＦＡ内の表示内容に応じて、図１４に示すようなシナリオファイルＳＦ１を作成する。
【０１５１】
このようなシナリオ作成装置ＰＣ２を用いれば、選択素材ファイル情報を選択素材ファイル情報領域ＳＦＡに所望の順序で表示させるだけで、容易にシナリオファイルを作成することができる。このように作成されたシナリオファイルをプロジェクタＰＪ２などのシナリオ再生装置に供給すれば、ページ毎の画像を容易に順次表示させることが可能となる。
【０１５２】
また、本実施例のプロジェクタＰＪ２は、シナリオ記憶領域１０７に記憶されたシナリオファイルに従って、素材ファイルを読み出し、投写表示されるページ毎の画像を表すページ画像データを準備するページ画像処理部を備えている。このページ画像処理部は、複数の前記素材ファイルに基づいて前記ページ画像データを準備することができる。このようなプロジェクタＰＪ２をシナリオ再生装置として用いれば、プロジェクタは、ページ毎の画像を容易に順次表示させることが可能となる。
【０１５３】
なお、本明細書において、「プロジェクタ」の語は、プロジェクタＰＪ２のみを含む狭義のプロジェクタを意味するとともに、場合により、プロジェクタＰＪ２とコンピュータＰＣ２とを含む広義のプロジェクタを意味する。すなわち、第２実施例においては、シナリオ再生装置としてのプロジェクタＰＪ２とシナリオ供給装置としてのコンピュータＰＣ２とを備えるシナリオ再生システムも、本発明の第５の態様におけるプロジェクタに相当する。
【０１５４】
Ｃ．第３実施例：
図１５は、第３実施例におけるシナリオ再生システムを示す説明図である。このシナリオ再生システムは、素材ファイル供給装置としての機能を有するコンピュータＰＣ３と、シナリオ再生装置としての機能を有する投写型表示装置すなわちプロジェクタＰＪ３とを備えている。コンピュータＰＣ３とプロジェクタＰＪ３とは、ネットワークＮＷを介して互いに接続されている。
【０１５５】
なお、本実施例のプロジェクタＰＪ３は、ページ毎のシナリオ情報と画像情報とを含む所定形式の素材ファイルをそのまま利用して、ページ毎に画像を再生することができる。このため、本実施例のコンピュータＰＣ３は、所定形式の素材ファイルＭＦをそのままプロジェクタＰＪ３に供給する。プロジェクタＰＪ３は、供給された素材ファイルＭＦに含まれるシナリオ情報に従って、素材ファイルＭＦに含まれる画像情報を読み出し、素材ファイルＭＦに応じたページ画像ＯＲＧをスクリーンＳＣ上に表示させる。
【０１５６】
また、コンピュータＰＣ３は、図１５に示すように、ポインティングデバイスとしてマウスＭＳを備えている。後述するように、コンピュータＰＣ３は、マウスＭＳの操作に伴う操作情報ＯＰＳを生成し、ネットワークＮＷを介してプロジェクタＰＪ３に供給する。プロジェクタＰＪ３は、操作情報ＯＰＳに基づいて、例えば、スクリーンＳＣ上に表示されたページ画像ＯＲＧ内にポインタ画像ＰＰＪを表示させることができる。なお、図１５において、コンピュータＰＣ３は、プロジェクタＰＪ３に対して、操作情報ＯＰＳを供給しており、ポインタ画像ＰＰＪを表す画像データは供給していない。
【０１５７】
図１６は、図１５のコンピュータＰＣ３の概略構成を示す説明図である。このコンピュータＰＣ３は、図９のコンピュータＰＣ２とほぼ同様の構成を有しているが、ＲＡＭ３３０内には、素材ファイル供給部３３６の機能を実現する素材ファイル供給プログラムと、操作情報生成部３３８の機能を実現する操作情報生成プログラムとが格納されている。
【０１５８】
素材ファイル供給部３３６は、準備された所定形式の素材ファイル（例えば、ＰＰＴファイル）をネットワークインタフェース部３９０を介してそのままプロジェクタＰＪ３に供給する機能を有している。
【０１５９】
操作情報生成部３３８は、ユーザによる入力部３６０の操作を検出し、検出結果に基づいて操作情報ＯＰＳを生成する機能を有している。なお、生成された操作情報ＯＰＳは、ネットワークインタフェース部３９０を介してプロジェクタＰＪ３に供給される。
【０１６０】
図１７は、図１５のプロジェクタＰＪ３の概略構成を示す説明図である。このプロジェクタＰＪ３は、図１０のプロジェクタＰＪ２とほぼ同様の構成を有しているので、詳細な説明は省略する。
【０１６１】
ただし、ネットワークインタフェース部１９０は、コンピュータＰＣ３からＬＡＮを介して供給される素材ファイルＭＦを内部記憶装置１０４のシナリオ記憶領域１０７に供給する機能を有している。また、ネットワークインタフェース部１９０は、コンピュータＰＣ３からＬＡＮを介して供給される操作情報ＯＰＳを、バス１００ｂを介してＣＰＵ１００に供給する機能を有している。ＣＰＵ１００は、操作情報ＯＰＳに基づいて、画像処理部１１０や装飾画像処理部１４０、メニュー画像処理部１５０などを制御する。例えば、操作情報ＯＰＳに、原画像（ページ画像）ＯＲＧ内に重畳されるポインタ画像ＰＰＪの位置を表す位置情報が含まれている場合には、装飾画像処理部１４０は、ポインタ画像データを操作情報（位置情報）ＯＰＳに基づいて画像処理部１１０に供給する。これにより、画像処理部１１０は、原画像データ（ページ画像データ）とポインタ画像データとを操作情報（位置情報）ＯＰＳに基づいて合成することができ、この結果、原画像（ページ画像）ＯＲＧの所定の位置にポインタ画像ＰＰＪが重畳されることとなる。
【０１６２】
また、内部記憶装置１０４は、供給された素材ファイル（ＰＰＴファイル）ＭＦを再生するためのシナリオ再生部１０５Ｃと、ネットワークインタフェース部１９０から供給された素材ファイルＭＦを格納するシナリオ記憶領域１０７とを備えている。シナリオ再生部１０５Ｃは、所定形式の素材ファイルＭＦの内容を見ることのできるビューア機能を備えている。すなわち、シナリオ再生部１０５Ｃは、供給された素材ファイルＭＦに含まれるシナリオ情報に従って、素材ファイルＭＦに含まれる画像情報を読み出し、ページ毎のページ画像データを原画像データとして画像処理部１１０に供給する。
【０１６３】
なお、本実施例におけるＣＰＵ１００と画像処理部１１０と装飾画像処理部１４０とシナリオ再生部１０５Ｃとが、本発明におけるページ画像処理部に相当する。
【０１６４】
図１８は、図１５のシナリオ再生システムにおける一連の処理手順を示すフローチャートである。
【０１６５】
ステップＳ３０１では、コンピュータＰＣ３の表示部３５０（図１６）に素材ファイル供給部３３６に処理を実行させるための実行用アイコンが表示されている。図１９は、表示部３５０に表示されるデスクトップ画面を示す説明図である。図示するように、デスクトップ画面には、素材ファイル供給部３３６に処理を実行させるための実行用アイコンＥＩが含まれている。
【０１６６】
ステップＳ３０２では、ユーザは、入力部３６０のマウスＭＳ（図９）を操作して、図１９に示すように、所定形式の素材ファイルのファイルアイコンＦＩを実行用アイコンＥＩにドラッグ・アンド・ドロップする。ここで、所定形式の素材ファイルとは、ページ毎のシナリオ情報と画像情報とを含む素材ファイルを意味しており、本実施例では、PowerPoint（Microsoft 社の商標）を用いて生成されたＰＰＴファイルなどを想定している。また、ドラッグ・アンド・ドロップ処理とは、前述のように、素材ファイルのファイルアイコンＦＩにマウスポインタＰＰＣを合わせてドラッグし、実行用アイコンＥＩに重ね合わせてドロップする処理を意味している。
【０１６７】
ステップＳ３０３では、ステップＳ３０２のドラッグ・アンド・ドロップ処理により、素材ファイル供給プログラムが起動する。このとき、コンピュータＰＣ２の外部記憶装置３１０（図１６）に格納されていたプログラムは、ＲＡＭ３３０内に展開され、素材ファイル供給部３３６として機能する。
【０１６８】
ステップＳ３０４では、素材ファイル供給部３３６は、素材ファイルを供給すべき供給先を設定するためのダイアログボックス（図示せず）を表示部３５０に表示させる。本実施例では、ユーザは、ネットワークインタフェース部３９０を介して接続されたプロジェクタＰＪ３（図１６）を、素材ファイルの供給先として設定する。なお、このとき、供給先として設定されたプロジェクタＰＪ３に適した解像度（例えば、ＸＧＡなど）も設定され、設定された解像度は操作情報生成部３３８の処理に利用される。
【０１６９】
ステップＳ３０５では、素材ファイル供給部３３６は、素材ファイルをそのままプロジェクタＰＪ３に供給する。具体的には、素材ファイル供給部３３６は、ネットワークインタフェース部３９０を介して素材ファイルをプロジェクタＰＪ３の内部記憶装置１０４内のシナリオ記憶領域１０７に供給する。なお、第２実施例と同様に、素材ファイルは、外部記憶装置１０２やメモリカード制御部１７０に装着されたメモリカードＭＣなどに格納されてもよい。
【０１７０】
ステップＴ３０１では、プロジェクタＰＪ３は、素材ファイルが供給されると同時に、素材ファイルのシナリオ情報に従った処理を自動的に開始する。具体的には、プロジェクタＰＪ３の内部記憶装置１０４内のシナリオ再生部１０５Ｃは、シナリオ記憶領域１０７に格納された所定形式の素材ファイル（ＰＰＴファイル）に含まれるページ毎のシナリオ情報に基づいて、画像情報を読み出し、ページ毎のページ画像データを原画像データとして画像処理部１１０に供給する。このようにして、プロジェクタＰＪ３において、シナリオ情報に従って順次画像が投写表示される。
【０１７１】
素材ファイル供給部３３６が、素材ファイルをプロジェクタＰＪ３に供給すると、ステップＳ３０６において、操作情報生成プログラムが起動する。このとき、操作情報生成部３３８は、表示部３５０上に操作情報生成領域を含む操作検出用ウィンドウを表示させる。
【０１７２】
図２０は、コンピュータＰＣ３の表示部３５０に表示される操作検出用ウィンドウＤＷを示す説明図である。図２０に示す表示部３５０では、操作検出用ウィンドウＤＷと、プレゼンテーションにおいて発表する内容などを記したメモを表示するメモ表示ウィンドウＭＷとが表示されている。
【０１７３】
操作検出用ウィンドウＤＷは、図示するように、「メニュー」ボタンＢＭと操作情報生成領域ＧＡとを含んでいる。ここで、操作情報生成領域ＧＡとは、マウスＭＳの操作に伴う操作情報ＯＰＳを生成するための領域を意味している。図２０において、マウスＭＳに対応するポインタ画像ＰＰＣは、表示部３５０の全領域内において表示されるが、ポインタ画像ＰＰＣが操作情報生成領域ＧＡ内に表示される場合にのみ、マウスＭＳの操作に伴う操作情報ＯＰＳが生成される。このようにすれば、ユーザが、操作情報生成領域ＧＡ以外の領域においてポインタ画像ＰＰＣを表示させてマウスＭＳを操作する場合には、マウスＭＳの操作情報ＯＰＳが生成されないので、マウスＭＳを用いて他の操作、例えば、メモ表示ウィンドウＭＷに表示させるメモを変更するなどの操作を行うことが可能となる。
【０１７４】
ステップＳ３０７では、操作情報生成部３３８は、入力部３６０としてのマウスＭＳの操作を検出する。なお、マウスＭＳの操作とは、ユーザがマウスＭＳ自体を移動させる操作や、マウスＭＳに設けられたスイッチを押す操作などを意味している。そして、ステップＳ３０８では、操作情報生成部３３８は、ステップＳ３０７における検出結果に基づいて操作情報ＯＰＳを生成する。
【０１７５】
前述のように、本実施例の操作情報生成部３３８は、マウスＭＳに対応するポインタ画像ＰＰＣが操作検出用ウィンドウＤＷの操作情報生成領域ＧＡ内に表示される場合にのみ、マウスＭＳの操作を検出する。また、本実施例では、ステップＳ３０４において、素材ファイルの供給先としてプロジェクタＰＪ３が設定されるとともに、プロジェクタＰＪ３に適した解像度が設定されているので、操作情報生成領域ＧＡと、スクリーンＳＣ上に投写表示される原画像（ページ画像）ＯＲＧの画像領域とを対応付けることができる。すなわち、操作情報生成領域ＧＡ内におけるポインタ画像ＰＰＣの位置関係と、原画像（ページ画像）ＯＲＧ内におけるポインタ画像ＰＰＪの位置関係とをほぼ一致させることができる。具体的には、操作情報生成部３３８は、操作情報生成領域ＧＡ内においてポインタ画像ＰＰＣが表示される位置を、設定されたプロジェクタＰＪ３の解像度（ステップＳ３０４）に応じて、座標値で求める。仮に、プロジェクタＰＪ３の解像度がＸＧＡ（１０２４×７６８）に設定されているときに、ポインタ画像ＰＰＣが操作情報生成領域ＧＡの左上端に表示されている場合には座標値を（１，１）とし、中央に表示されている場合には座標値を（５１２，３８４）とし、右下端に表示されている場合には座標値を（１０２４，７６８）として求める。この座標値情報が、マウスＭＳの位置情報となり、操作情報ＯＰＳとして出力される。
【０１７６】
ステップＳ３０９では、コンピュータＰＣ３は、操作情報ＯＰＳを送信する。
【０１７７】
プロジェクタＰＪ３は、ステップＴ３０２において、操作情報ＯＰＳに基づいて、画像を表示する。具体的には、操作情報ＯＰＳに基づいて、原画像（ページ画像）ＯＲＧ内の所定の位置（すなわち、操作情報生成領域ＧＡ内におけるポインタ画像ＰＰＣの位置に対応する位置）にポインタ画像ＰＰＪを表示する。
【０１７８】
ステップＳ３０７〜Ｓ３０９，Ｔ３０２の処理を繰り返し実行することにより、マウスＭＳの移動と連動させて、スクリーンＳＣ上に投写表示される原画像（ページ画像）ＯＲＧ内のポインタ画像ＰＰＪを移動させることができる。
【０１７９】
ステップＴ３０３では、プロジェクタＰＪ３内のシナリオ再生部１０５Ｃは、供給された所定形式の素材ファイル（ＰＰＴファイル）に含まれるページ毎のシナリオ情報に従った処理を終了する。
【０１８０】
ステップＳ３１０では、コンピュータＰＣ３は、プロジェクタＰＪ３から供給される終了情報に従って、操作情報生成プログラムを終了させる。
【０１８１】
ところで、ステップＳ３０７において、ユーザがマウスＭＳに設けられたスイッチを押す（クリックする）操作を実行する場合には、ステップＴ３０１において、プロジェクタＰＪ３がシナリオ情報に従って画像を投写表示する際に、画像を順次ページ送りさせることができる。
【０１８２】
また、ステップＳ３０７において、ユーザがマウスＭＳに設けられたスイッチを押しながらマウスＭＳを移動させる操作を実行する場合には、投写表示されるページ画像ＯＲＧ内において領域を指定することができる。本実施例のプロジェクタＰＪ３では、領域を指定することにより、ボックス画像や囲み枠画像などのポインタ画像と異なる種類の装飾画像を、ページ画像ＯＲＧ内の指定領域に重畳することが可能となっている。
【０１８３】
上記の説明からも分かるように、ステップＳ３０７においては、マウスＭＳの位置情報のみでなく、マウスＭＳのスイッチ情報も操作情報ＯＰＳとして生成される。
【０１８４】
図２１は、ページ画像ＯＲＧ内のポインタ画像ＰＰＪを用いて、ページ画像ＯＲＧ内にボックス画像ＰＢを重畳する際の処理を示す説明図である。ボックス画像ＰＢのサイズは、ページ画像ＯＲＧ内において、ボックス画像ＰＢの対向する２つの頂点（始点および終点）を指定することによって決定される。図２１（Ａ−１）〜（Ａ−３）は、操作検出用ウィンドウＤＷ（図２０）に含まれる操作情報生成領域ＧＡを示している。図２１（Ｂ−１）〜（Ｂ−３）は、プロジェクタＰＪ３によってスクリーンＳＣ上に表示されるページ画像ＯＲＧを示している。
【０１８５】
図２１（Ａ−１）では、コンピュータＰＣ３のマウスＭＳを操作して、領域を指定するための始点Ｐ１Ｃを指定する。これは、ユーザがマウスＭＳを移動させることにより、ポインタ画像ＰＰＣを始点Ｐ１Ｃに移動させ、マウスＭＳのスイッチを押すことによって行われる。このとき、図２１（Ｂ−１）に示すように、ページ画像ＯＲＧ内では、ポインタ画像ＰＰＪによって始点Ｐ１Ｊが指定される。ページ画像ＯＲＧにおいて始点Ｐ１Ｊが指定されると、ボックス画像ＰＢの始点を意味する始点画像ＰＳが始点Ｐ１Ｊ位置に重畳される。
【０１８６】
図２１（Ａ−２）では、ユーザがマウスＭＳのスイッチを押したまま、マウスＭＳを領域の終点Ｐ２Ｃに移動させる。このとき、操作情報生成領域ＧＡ内には、始点Ｐ１Ｃおよび終点Ｐ２Ｃを結ぶ線分を対角線とする枠が破線で表示されている。一方、ページ画像ＯＲＧ内では、図２１（Ｂ−２）に示すように、始点画像ＰＳが表示されると、ポインタ画像ＰＰＪに代えて終点画像ＰＥが表示され、終点画像ＰＥを用いてページ画像ＯＲＧ内の終点Ｐ２Ｊが指定される。
【０１８７】
図２１（Ａ−３）では、ユーザがマウスＭＳのスイッチを押すのを中止する。このとき、図２１（Ｂ−３）に示すように、ページ画像ＯＲＧ内では、始点Ｐ１Ｊおよび終点Ｐ２Ｊによって設定された範囲にボックス画像ＰＢが重畳される。
【０１８８】
なお、始点画像ＰＳと、終点画像ＰＥと、ボックス画像ＰＢとのそれぞれの装飾画像を表す装飾画像データは、装飾画像処理部１４０（図１７）によって準備され、画像処理部１１０に供給される。
【０１８９】
また、ページ画像ＯＲＧに重畳されるボックス画像ＰＢなどの装飾画像の種類は、操作検出用ウィンドウＤＷ（図２０）に含まれる「メニュー」ボタンＢＭを選択することによって予め指定される。すなわち、ユーザがコンピュータＰＣ３の操作検出用ウィンドウＤＷ上でポインタ画像ＰＰＣを移動させて「メニュー」ボタンＢＭを選択すると、メニュー表示開始情報がＬＡＮを介してプロジェクタＰＪ３に供給される。プロジェクタＰＪ３内のＣＰＵ１００は、ネットワークインタフェース部１９０に供給されたメニュー表示開始情報に基づいて、メニュー画像処理部１５０および画像処理部１１０を制御し、メニュー画像を原画像ＯＲＧとしてスクリーンＳＣ上に投写表示させる。ユーザは、原画像ＯＲＧ（メニュー画像）内に重畳表示されるポインタ画像ＰＰＪを用いて、使用する装飾画像の種類を選択する。なお、リモコンＲＭを用いてメニュー画像を表示させて、リモコンＲＭを用いて使用する装飾画像の種類を選択することも可能である。
【０１９０】
以上説明したように、本実施例のコンピュータＰＣ３は、素材ファイル供給部３３６を備えており、素材ファイル供給装置として機能する。素材ファイル供給部３３６は、表示部３５０に、素材ファイル供給部３３６に処理を実行させるための実行用アイコンを表示させ、マウスＭＳの操作により、素材ファイルのファイルアイコンが実行用アイコンにドラッグ・アンド・ドロップされると、素材ファイルＭＦをシナリオ記憶領域１０７に供給する。そして、プロジェクタＰＪ３は、素材ファイル供給装置ＰＣ３から供給され、シナリオ記憶領域１０７に記憶された素材ファイルを読み出し、シナリオ情報に従って、画像情報によって表されるページ毎の画像を表すページ画像データを準備するページ画像処理部を備えている。
【０１９１】
なお、第３実施例においては、シナリオ再生装置としてのプロジェクタＰＪ３と素材ファイル供給装置としてのコンピュータＰＣ３とを備えるシナリオ再生システムが、本発明の第６の態様におけるプロジェクタに相当する。
【０１９２】
本発明の第６の態様におけるプロジェクタを用いれば、シナリオファイルを作成する手間を省略することができる。この結果、プロジェクタは、ページ毎の画像を容易に順次表示させることが可能となる。
【０１９３】
Ｃ−１．第２および第３実施例の変形例：
第２実施例では、コンピュータＰＣ２は、ＲＡＭ３３０内にシナリオ作成部３３２Ｂを備えているのみであるが、コンピュータＰＣ２は、第３実施例のコンピュータＰＣ３に備えられた素材ファイル供給部３３６のような機能を有するシナリオ供給部を備えるようにしてもよい。このようにすれば、ユーザは、コンピュータＰＣ２のシナリオ作成部３３２Ｂによって予め準備されたシナリオファイルを、図１９に示すように、シナリオファイルのファイルアイコンをシナリオ供給部の実行用アイコンにドラッグ・アンド・ドロップすることによって、プロジェクタ（すなわち投写型表示装置）ＰＪ２に供給することが可能となる。
【０１９４】
また、第２実施例では、コンピュータＰＣ２は、ＲＡＭ３３０内にシナリオ作成部３３２Ｂを備えているのみであるが、コンピュータＰＣ２は、第３実施例のコンピュータＰＣ３のように、ユーザによるマウスＭＳの操作を検出し、検出結果に基づいて操作情報ＯＰＳを生成する操作情報生成部３３８を備えるようにしてもよい。こうすれば、ユーザはマウスＭＳを操作することにより、プロジェクタ（すなわち投写型表示装置）ＰＪ２を操作することが可能となる。
【０１９５】
上記の場合には、シナリオ再生装置としてのプロジェクタＰＪ２と、シナリオ供給部や操作情報生成部を有するシナリオ供給装置としてのコンピュータＰＣ２と、を備えるシナリオ再生システムが、本発明の第５の態様におけるプロジェクタに相当する。
【０１９６】
第２および第３実施例では、コンピュータＰＣ２，ＰＣ３は、入力部３６０として、マウスＭＳを備えているが、マウスＭＳに代えて、タブレットや、トラックボール、トラックパッド、ジョイスティックなどの他のポインティングデバイスを備えるようにしてもよい。これらのポインティングデバイスも、マウスＭＳと同様の機能を有しており、本発明におけるポインティングデバイスに相当する。
【０１９７】
Ｄ．第４実施例：
第４実施例では、本発明に係るセキュリティ機能を有するプロジェクタ、およびこのプロジェクタがネットワークに接続されて構成される画像表示システムについて説明する。
【０１９８】
Ｄ−１．プロジェクタの構成：
図２２および図２３を参照して本実施例に係る投写型表示装置（プロジェクタ）の概略構成について説明する。図２２は、第４実施例に係るプロジェクタがネットワークに接続されて構成される画像表示システムの構成例を示す説明図である。図２３は、第４実施例に係るプロジェクタの内部回路構成を示すブロック図である。
【０１９９】
プロジェクタＰＪ４は、ネットワーク回線ＮＬを介してファイルサーバＦＳ、パーソナルコンピュータＰＣ４と接続されている。パーソナルコンピュータＰＣ４は、アプリケーションプログラムを実行するＣＰＵ１０５０、アプリケーションプログラムを格納しているＲＯＭ１０５１、アプリケーションプログラム実行中の処理内容を一時的に格納するＲＡＭ１０５２を備えている。パーソナルコンピュータＰＣ４はまた、アプリケーションプログラム終了時にアプリケーションプログラムによって生成したデータファイル（表示データ）を格納する内蔵型ハードディスクドライブ（ＨＤＤ）１０５３、アプリケーションプログラムのユーザインタフェースを表示する表示ディスプレイ１０５４を備えている。パーソナルコンピュータＰＣ４のＨＤＤ１０５３に格納されたデータファイルは、後述する手順によってファイルサーバＦＳに転送される。また、パーソナルコンピュータＰＣ４のＣＰＵ１０５０は、データファイルをファイルサーバＦＳに転送する際には、インデックスファイルを生成し、プロジェクタＰＪ４に転送する。パーソナルコンピュータＰＣ４に対しては、例えば、キーボード１５５１、マウス１５５２といった外部入力装置１０５５を介してコマンド、データが入力される。
【０２００】
プロジェクタＰＪ４は、例えば、ＰＣＭＣＩＡ規格に準拠するメモリカードといった外部記憶装置１０４１を備えており、パーソナルコンピュータＰＣ４から転送されたインデックスファイルを格納する。プロジェクタＰＪ４に対しては、例えば、リモコン等の外部入力装置１０４０を介してコマンド、データが入力される。ファイルサーバＦＳは、プロジェクタＰＪ４に代わってデータファイルを格納するサーバであり、複数のディレクトリを有する。また、本実施例では、ファイルサーバＦＳは、名称としてＳ１が割り当てられている。データファイルを再生（投写）する場合には、インデックスファイルを用いてプロジェクタＰＪ４が、ファイルサーバＦＳに対して該当データファイルの転送を要求すると、要求されたデータファイルはネットワーク回線ＮＬを介してファイルサーバＦＳからプロジェクタＰＪ４に転送される。
【０２０１】
図２３を参照して本実施例に係るプロジェクタＰＪ４の内部構成について説明する。プロジェクタＰＪ４は、主としてＡＳＰ端末としての機能を果たすＡＳＰ端末部１０２０と、主として従来のプロジェクタ機能を果たすプロジェクタ部１０３０とを備えている。すなわち、本実施例に係るプロジェクタＰＪ４はＡＳＰに対応したＡＳＰ端末として機能し得る。
【０２０２】
ＡＳＰ端末部１０２０は、ビュワーアプリケーション、ＡＳＰに対応したクライアントアプリケーションの実行を初めとする種々の演算処理を実行する第１中央処理装置（ＣＰＵ）１２００、第１ＣＰＵ１２００にて実行するビュワーアプリケーション、クライアントアプリケーション、インデックスファイルに基づきデータファイルを取得するためのアプリケーションを初めとする種々のプログラムを格納する第１リードオンリメモリ（ＲＯＭ）１２０２、第１ＣＰＵ１２００の演算結果、データ等を一時的に格納する第１ランダムアクセスメモリ（ＲＡＭ）１２０４を備えている。第１ＲＯＭ１２０２には、更に表示データを再生（投写表示）する際に実行する認証プログラムが格納されている。第１ＣＰＵ１２００と第１ＲＯＭ１２０２とは単方向または双方向通信可能に接続されており、第１ＣＰＵ１２００と第１ＲＡＭ１２０４とは双方向通信可能に接続されている。
【０２０３】
ＡＳＰ端末部１０２０は、第１ＣＰＵ１２００と双方向通信可能に接続され、第１ＣＰＵ１２００からの描画指令に基づいて画像データを生成するグラフィックスコントローラ１２１０を備えている。グラフィックスコントローラ１２１０は、画像を生成するためのＬＳＩチップ（図示しない）、生成した画像（表示画像）を記憶するためのビデオメモリ（ＶＲＡＭ）１２１２を有している。
【０２０４】
ＡＳＰ端末部１０２０は、プロジェクタＰＪ４と外部装置との間でコマンドやデータを送受信するためのインタフェースとして、ネットワーク・インタフェース・コントローラ１２２０、Ｉ／Ｏポート１２３０、ＰＣＭＣＩＡ・インタフェース・コントローラ１２４０、ＵＳＢコントローラ１２５０を備えている。ネットワーク・インタフェース・コントローラ１２２０は、例えば、イーサネット（登録商標）規格に準拠したコントローラであり、ＡＳＰ端末部１０２０からネットワーク回線ＮＬへ送信するコマンドやデータをネットワーク通信のプロトコルに従って適切な形式に変換し、あるいは、ネットワーク回線ＮＬから受信した信号をＡＳＰ端末部１０２０での処理に適した形式に変換する。Ｉ／Ｏポート１２３０は一般的な入出力ポートであり、識別回路１２３２を介して無線入力装置１２３４と接続されている他、外部入力装置１０４０やプロジェクタ部１０３０の第２ＣＰＵ１３００と接続されている。無線入力装置１２３４は、無線式の入力装置から無線送信された入力データを受信するための入力装置であり、識別回路１２３２は無線入力装置１２３４が受信した入力データが自身に向けて送信された入力データであるか否かを識別する。
【０２０５】
ＰＣＭＣＩＡ・インタフェース・コントローラ１２４０は、ＰＣＭＣＩＡ規格に従ってＡＳＰ端末部１０２０から外部装置へデータを転送し、外部装置からＡＳＰ端末部１０２０へデータを転送するコントローラである。本実施例では、例えば、ＰＣカードメモリが外部記憶装置１０４１として接続されており、パーソナルコンピュータＰＣ４から転送された表示データは外部記憶装置１０４１に格納される。ＵＳＢコントローラ１２５０は、ＵＳＢ規格に従ってＡＳＰ端末部１０２０と外部装置との間でデータを転送するコントローラであり、例えば、ＵＳＢＨＵＢ１２５２を介して外部入力装置１０４０と接続される。
【０２０６】
ＡＳＰ端末部１０２０は、この他にＡＳＰ端末部１０２０における絶対時間を供給するリアルタイムクロック１２６０、第１ＣＰＵ１２００からの指令に基づいてサウンドデータを生成する音源１２６２と接続されている。
【０２０７】
なお、ＡＳＰ端末部１０２０における第１ＣＰＵ１２００、各コントローラ１２１０等は、データおよびコマンドを伝達するバスを介して相互に接続されている。
【０２０８】
次に、プロジェクタ部１０３０の構成について説明する。プロジェクタ部１０３０は、所定のプログラムを実行してプロジェクタ部１０３０の各回路を制御する第２中央処理装置（ＣＰＵ）１３００、第２ＣＰＵ１３００にて実行するプログラムを格納する第２リードオンリメモリ（ＲＯＭ）１３０２、第２ＣＰＵ１３００の演算結果、データ等を一時的に格納する第２ランダムアクセスメモリ（ＲＡＭ）１３０４を備えている。第２ＣＰＵ１３００と第２ＲＯＭ１３０２とは単方向または双方向通信可能に接続されており、第２ＣＰＵ１３００と第２ＲＡＭ１３０４とは双方向通信可能に接続されている。
【０２０９】
プロジェクタ部１０３０は、さらに、映像信号変換回路１３１０、音声制御回路１３２０、液晶（ＬＣＤ）駆動回路１３３０、光源制御回路１３４０、冷却ファン制御回路１３５０、投写光学系１３６０も備えている。
【０２１０】
映像信号変換回路１３１０は、アナログ−ディジタル変換機能、デコード機能、同期信号分離機能、画像処理機能といった機能を実現する。すなわち、映像信号変換回路１３１０は、外部映像信号入力端子１３１２から入力されたアナログ映像信号をディジタル画像データに変換し、変換されたディジタル画像データを同期信号に同期して映像信号変換回路１３１０内の図示しないフレームメモリに書き込み、あるいは、フレームメモリに書き込まれたディジタル画像データをフレームメモリから読み出す。アナログ映像信号としては、例えば、パーソナルコンピュータから出力されたＲＧＢ信号、ビデオテープレコーダ等から出力されたコンポジット映像信号が入力される。アナログ映像信号がコンポジット映像信号の場合には、映像信号変換回路１３１０は、コンポジット映像信号を復調すると共にＲＧＢの３色の色信号で構成されるコンポーネント映像信号および同期信号に分離し、コンポーネント映像信号をディジタル画像データに変換する。アナログ映像信号がパーソナルコンピュータから出力されたＲＧＢ信号の場合には、元々コンポーネント映像信号として入力されると共に同期信号も分離して入力されるので分離処理は不要であり、映像信号変換回路１３１０は、コンポーネント映像信号をディジタル画像データに変換する。
【０２１１】
映像信号変換回路１３１０には、ＡＳＰ端末部１０２０のグラフィックスコントローラ１２１０から送信されたディジタル映像信号も入力される。かかる場合には、元々ディジタル映像信号として入力されると共に同期信号が分離して供給されるのでアナログ−ディジタル変換処理および分離処理は不要である。
【０２１２】
音声制御回路１３２０は、外部音声信号入力端子１３２２、スピーカ１３２４、第２ＣＰＵ１３００、およびＡＳＰ端末部１０２０の音源１２６２と接続されている。音声制御回路１３２０は、第２ＣＰＵ１３００と接続されており、第２ＣＰＵ１３００からの指令に従い、外部音声信号入力端子１３２２または音源１２６２から伝送された音声信号またはサウンドデータに基づいて生成した駆動信号によってスピーカ１３２４を駆動する。
【０２１３】
ＬＣＤ駆動回路１３３０は、映像信号変換回路１３１０によって処理された画像データを受け取り、受け取った画像データに応じてＬＣＤ１３３２を駆動して光源１３４２から照射された照明光を変調する。ＬＣＤ１３３２によって変調された照明光はレンズを含む投写光学系１３６０を介して被投写面、例えば、投写スクリーン上に投写される。光源１３４２には光源制御回路１３４０が接続されており、光源制御回路１３４０は、第２ＣＰＵ１３００からの指令に従って光源１３４２のオン、オフ等を制御する。光源１３４２の背面には光源１３４２に対して冷却風を送るための冷却ファン１３５２が配置されている。冷却ファン１３５２には冷却ファン制御回路１３５０が接続されており、冷却ファン制御回路１３５０は、第２ＣＰＵ１３００からの指令に従って冷却ファン１３５２の回転速度等を制御する。
【０２１４】
Ｄ−２．プロジェクタの基本的動作：
次に上記構成を備える本実施例に係るプロジェクタＰＪ４の基本的な動作について図２２および図２３を参照して説明する。
【０２１５】
ネットワーク回線ＮＬを介してプロジェクタＰＪ４に入力された信号は、ＡＳＰ端末部１０２０のネットワーク・インタフェース・コントローラ１２２０によってＡＳＰ端末部１０２０に適した形式に変換され、第１ＣＰＵ１２００へデータおよびコマンドとして転送される。第１ＣＰＵ１２００は、転送されたデータを第１ＲＡＭ１２０４に一時的に格納し、転送されたコマンドがＡＳＰ端末部１０２０に対するコマンドであるかプロジェクタ部１０３０に対するコマンドであるかを判別する。転送されたコマンドがプロジェクタ部１０３０に対するコマンドの場合には、第１ＣＰＵ１２００はＩ／Ｏポート１２３０を介してプロジェクタ部１０３０の第２ＣＰＵ１３００に対してコマンドを転送する。
【０２１６】
一方、転送されたコマンドがＡＳＰ端末部１０２０に対するコマンドの場合には、第１ＣＰＵ１２００は、転送されたコマンドに基づいた演算処理を実行する。第１ＣＰＵ１２００は、例えば、第１ＲＡＭ１２０４に格納されたデータを外部記憶装置１０４１に格納する。また、第１ＣＰＵ１２００は、外部記憶装置１０４１に格納されているデータの再生要求（投写表示要求）がリモコン１０４０等により入力された場合には、後述するインデックスファイルを用いたデータファイル再生プログラムを実行する。第１ＣＰＵ１２００は、外部記憶装置１０４１または第１ＲＡＭ１２０４に格納されたデータを読み出す（再生する）ために、適切なビュワーアプリケーションを第１ＲＯＭ１２０２から読み出して起動し、格納されているデータのユーザインタフェースデータを生成して描画コマンドと共に、グラフィックスコントローラ１２１０に対して転送する。
【０２１７】
あるいは、プロジェクタＰＪ４がサーバ・ベース・コンピューティング（ＳＢＣ）のクライアントとして機能する場合には、第１ＣＰＵ１２００は、対応するクライアントアプリケーションを起動して、受信した専用フォーマットを有する表示画像データからユーザインタフェース画面データを生成するようにグラフィックスコントローラ１２１０に描画コマンドを送信する。グラフィックスコントローラ１２１０は、受信した描画コマンドに従って、表示画面データに基づいて表示すべきユーザインタフェース画像データ（以下「画像データ」という。）を生成し、グラフィックスコントローラ１２１０内のＶＲＡＭ１２１２中に格納する。
【０２１８】
グラフィックスコントローラ１２１０は、第１ＣＰＵ１２００からの指令に従って、所定のタイミングにてグラフィックスコントローラ１２１０のＶＲＡＭ１２１２に格納されている画像データを読み出し、プロジェクタ部１０３０の映像信号変換回路１３１０に転送する。第１ＣＰＵ１２００は、ＵＳＢＨＵＢ１２５２、ＵＳＢコントローラ１２５０、Ｉ／Ｏポート１２３０を介して外部入力装置１０４０からコマンドまたはデータを受け取る。第１ＣＰＵ１２００は、外部入力装置１０４０またはネットワーク回線ＮＬを介して受信したコマンドに従って、ＲＡＭ１２０４内に格納されているデータ、または、ＰＣＭＣＩＡ・インタフェース・コントローラ１２４０を介してグラフィックスコントローラ１２１０のＶＲＡＭ１２１２中に格納されている画像データを外部記憶装置１０４１に格納する。
【０２１９】
映像信号変換回路１３１０は、グラフィックスコントローラ１２１０から画像データを受け取ると、既述の処理を実行してＬＣＤ駆動回路１３３０に処理済みの画像データを転送する。ＬＣＤ駆動回路１３３０は、受け取った画像データに応じてＬＣＤ１３３２を駆動制御して所望の画像データを投写スクリーン上に投写させる。
【０２２０】
第２ＣＰＵ１３００は、例えば、ネットワーク回線ＮＬからＩ／Ｏポート１２３０を介して転送されたコマンドが光源１３４２のオンを指示する場合には、光源制御回路１３４０を介して光源１３４２をオンする。第２ＣＰＵ１３００は、冷却ファン制御回路１３５０を介して光源１３４２の温度に応じて冷却ファン１３５２の作動状態（回転速度、回転タイミング等）を制御する。
【０２２１】
プロジェクタＰＪ４からネットワーク回線ＮＬへのデータ送信は、第１ＣＰＵ１２００の指令に従ってネットワーク・インタフェース・コントローラ１２２０を介して実行される。
【０２２２】
Ｄ−３．画像表示システムにおいて本実施例に係るプロジェクタへインデックスファイルを転送する手順およびプロジェクタにおいてインデックスファイルを用いてデータファイルを表示する手順：
次に、上記構成を備える本実施例に係るプロジェクタＰＪ４に対してネットワークを介してパーソナルコンピュータＰＣ４からデータファイルを転送する際に実行される処理について図２２、図２４〜図２７を参照して説明する。図２４は、パーソナルコンピュータＰＣ４からプロジェクタＰＪ４に対してデータファイルを転送する際に実行される処理ルーチンを示すフローチャートである。図２５は、パーソナルコンピュータＰＣ４からプロジェクタＰＪ４に対してデータファイルを転送するために、パーソナルコンピュータＰＣ４の表示ディスプレイ１０５４上にて実行される手順を概念的に示す説明図である。図２６は、図２５に示す手順を終了した後に表示ディスプレイ１０５４上に現れるインデックスファイル情報設定画面の一例を示す説明図である。図２７は、インデックスファイルに含まれるデータを概念的に示す説明図である。
【０２２３】
パーソナルコンピュータＰＣ４上にてアプリケーションを実行して生成されるプレゼンテーション用データ、ワードプロセッサ用データ等は、アプリケーション実行中はパーソナルコンピュータＰＣ４内のＲＡＭ１０５２に一時的に格納されている。アプリケーション終了時には、パーソナルコンピュータＰＣ４の内蔵ＨＤＤ１０５３にデータファイルとして格納される。したがって、ＨＤＤ１０５３には過去に生成したデータファイルを含め複数のデータファイルが格納されている。
【０２２４】
図２４に示す処理ルーチンにおいて、パーソナルコンピュータＰＣ４のＣＰＵ１０５０は、ファイル保存要求の発生を待機し（ステップＳ１００：Ｎｏ）、ファイル保存要求の発生を検出すると（ステップＳ１００：Ｙｅｓ）、ファイルの保存先等の入力を要求する（ステップＳ１１０）。
【０２２５】
今日の一般的なＯＳでは、表示ディスプレイ１０５４上に表されるグラフィカル・ユーザ・インタフェース（ＧＵＩ）によって種々の操作を視覚的に実行可能となっている。このようなＧＵＩ環境では、図２５に示すように、例えば、ＨＤＤ１０５３上に格納されている各ファイルに対応するファイルアイコンＦＬが表示ディスプレイ１０５４上のウィンドウＦＷに表示され、また、転送先であるプロジェクタＰＪ４を示すアイコンＰＪが表示ディスプレイ１０５４上に表示される。なお、ＨＤＤ１０５３上のファイルをプロジェクタＰＪ４に移動（転送）する場合には、所望のファイルアイコンＦＬ上にマウスポインタＭＰを置き、マウス１５５２の選択ボタンを押し下げたままの状態でマウスポインタＭＰをプロジェクタアイコンＰＪ上に移動させた後、選択ボタンを解放する。かかる操作は、ドラッグ・アンド・ドロップ（Ｄ＆Ｄ）として周知のファイル移動操作である。
【０２２６】
パーソナルコンピュータＰＣ４のＣＰＵ１０５０は、マウス１５５２の選択ボタンが押し下げられたままでマウスポインタＭＰの座標位置がプロジェクタアイコンＰＪの領域と重なり、マウス１５５２の選択ボタンが解放されると、ファイル保存要求の発生を検出する。
【０２２７】
パーソナルコンピュータＰＣ４のＣＰＵ１０５０は、図２６に示すようにデータファイルの保存先、ファイル名、パスワード、メモを入力するためのデータファイル保存情報設定画面ＣＷを表示する。なお、本実施例では、保存先のデフォルト値としては、ファイルサーバＦＳ内の所定のディレクトリが指定されるものとする。また、保存場所情報には、保存先およびファイル名が含まれるものとする。また、パスワードおよびメモは任意の入力事項である。メモ情報は、後述するようにプロジェクタＰＪ４においてデータファイルのファイル名と同時に表示されるので、例えば、検索時におけるキーワード、覚え書きとして用いることができる。パスワードの設定に際しては、例えば、キーボード１５５１を介して１〜５までの任意の５つの数字を入力する。
【０２２８】
パーソナルコンピュータＰＣ４のＣＰＵ１０５０は、保存先がデフォルト値であるか否かを判定し（ステップＳ１２０）、保存先がデフォルト値であると判定した場合には（ステップＳ１２０：Ｙｅｓ）、インデックスファイルを生成する（ステップＳ１３０）。一方、ＣＰＵ１０５０は、保存先がデフォルト値でないと判定した場合には（ステップＳ１２０：Ｎｏ）、保存先を変更し（ステップＳ１４０）、インデックスファイルを生成する（ステップＳ１３０）。インデックスファイルは、図２７に示すように、データファイルの保存先ＩＰアドレスＤ１、ディレクトリＤ２、ファイル名Ｄ３、パスワードＤ４およびメモＤ５（設定時）の各データを含むファイルであり、データファイルに含まれるデータそのものは含んでいない。したがって、データファイルのファイルサイズが一般的に、約１０ＫＢ〜数ＭＢであるのに対して、インデックスファイルのファイルサイズは、約１〜２ＫＢである。また、本実施例では、データファイルの保存先ＩＰアドレスＤ１およびディレクトリＤ２の２つのデータによって保存先が構成され、データファイルの保存先ＩＰアドレスＤ１、ディレクトリＤ２、およびファイル名Ｄ３の３つのデータによって保存場所情報が構成されるものとする。
【０２２９】
ＣＰＵ１０５０は、保存先、本実施例ではファイルサーバＦＳにデータファイルを転送し、プロジェクタＰＪ４の外部記憶装置１０４１にインデックスファイルを転送して（ステップＳ１５０）、本処理ルーチンを終了する。すなわち、データファイルはファイルサーバＦＳ上に格納され、プロジェクタＰＪ４の外部記憶装置１０４１には、インデックスファイルが格納される。
【０２３０】
次に、プロジェクタＰＪ４にて外部記憶装置１０４１に格納されているインデックスファイルを用いてファイルサーバＦＳ上に格納されているデータファイルを再生する際に実行される再生処理について図２２、図２３、図２８〜図３３を参照して説明する。図２８は、プロジェクタＰＪ４において外部記憶装置１０４１に格納されているインデックスファイルを用いてファイルサーバＦＳ上に格納されているデータファイルを再生する際に実行される処理ルーチンを示すフローチャートである。図２９は、第４実施例にて用いられるリモコン１０４０を模式的に示す説明図である。図３０は、プロジェクタＰＪ４の投写表示画面ＳＲのうち、メニュー画面の一例を示す説明図である。図３１は、プロジェクタＰＪ４の投写表示画面ＳＲのうち、ファイル選択画面の一例を示す説明図である。図３２は、プロジェクタＰＪ４の投写表示画面ＳＲのうち、パスワード入力ボックスＰＢ１の表示の一例を示す説明図である。図３３は、プロジェクタＰＪ４の投写表示画面ＳＲのうち、認証失敗表示ボックスＰＢ２の表示の一例を示す説明図である。
【０２３１】
本処理ルーチンにて、コマンドを送信するリモコン１０４０は、図２９に示すように、予め割り当てられた機能を実行するファンクションキーとして機能する１〜５の数字キー１４０１を備えている。リモコン１０４０はまた、投写表示された画面ＳＲ上にてカーソルまたはポインタ位置を上下左右方向に移動させるためのジョイスティック１４０２、メニュー呼び出しキー１４０３、実行キー１４０４等を備えている。なお、本処理ルーチンの開始前に、リモコン１０４０のメニュー呼び出しキー１４０３が操作されて、図３０に示すようなメニュー画面が投写表示されているものとする。
【０２３２】
プロジェクタＰＪ４の第１ＣＰＵ１２００は、リモコン１０４０を介したインデックス画面表示要求の入力を待機する（ステップＳ２００：Ｎｏ）。一方、図３０に示すメニュー画面においてジョイスティック１４０２の操作により「２．インデックス画面表示」のメニューバーＭＢ１が反転表示された状態にて、実行キー１４０４が押し下げられると、第１ＣＰＵ１２００はファイル選択要求が発生（入力）されたものと判定する（ステップＳ２００：Ｙｅｓ）。第１ＣＰＵ１２００は、ファイル選択要求が発生（入力）したと判定すると、第２ＣＰＵ１３００に対して図３１に示すようなインデックス画面を投写表示するよう要求する（ステップＳ２１０）。
【０２３３】
インデックス画面は、外部記憶装置１０４１に格納されているインデックスファイルに含まれる情報の内、ファイル名とメモをインデックスバーＩＢの態様で表示する。第１ＣＰＵ１２００は、インデックス画面にて再生すべきデータファイルが決定されたか否かを判定する（ステップＳ２２０）。第１ＣＰＵ１２００は、図３１に示すインデックス画面においてジョイスティック１４０２の操作により所望のデータファイル、ここでは「２．＊＊＊＊＊．ｐｐｔ・・・」のインデックスバーＩＢが反転表示された状態にて、実行キー１４０４が押し下げられると反転表示されているデータファイルの再生が決定（入力）されたものと判定する。
【０２３４】
第１ＣＰＵ１２００は、データファイルの再生が決定したと判定すると（ステップＳ２２０：Ｙｅｓ）、設定パスワードの入力を要求する（ステップＳ２３０）。すなわち、第１ＣＰＵ１２００は、図３２に示すパスワード入力ボックスＰＢ１を投写表示させるように第２ＣＰＵ１３００に要求する。
【０２３５】
パスワード入力ボックスＰＢ１に対しては、リモコン１０４０のファンクションキー１４０１を介して１〜５の数字の組み合わせからなるパスワードが入力される。第１ＣＰＵ１２００は、入力されたパスワードが設定されたパスワードと符合するか否かを判定し（ステップＳ２４０）、両パスワードが符合すると判定した場合には（ステップＳ２４０：Ｙｅｓ）、再生が決定されたデータファイルに対応するインデックスファイルから決定データファイルの保存先（ファイルサーバＦＳ）を取得し、決定データファイルの転送を要求する（ステップＳ２５０）。
【０２３６】
第１ＣＰＵ１２００は、決定データファイルの受信を待機し（ステップＳ２６０：Ｎｏ）、ファイルサーバＦＳから決定データファイルを受信すると（ステップＳ２６０：Ｙｅｓ）、決定ファイルの描画処理をグラフィックスコントローラ１２１０に要求して、決定ファイルの再生を開始する（ステップＳ２７０）。グラフィックスコントローラ１２１０にて描画生成された画像データは、プロジェクタ部１０３０の映像信号変換回路１３１０、ＬＣＤ駆動回路１３３０、ＬＣＤ１３３２、投写光学系１３６０を介してスクリーン上に投写表示される。
【０２３７】
第１ＣＰＵ１２００は、リモコン１０４０を介して入力されたパスワードが設定パスワードと一致しないと判定した場合には（ステップＳ２４０：Ｎｏ）、第２ＣＰＵ１３００に対して図３３に示すような認証失敗表示ボックスＰＢ２を投写表示するよう要求し（ステップＳ２８０）、選択されたファイルの再生を実行しない。なお、パスワードの誤入力に対しては、所定回数以上パスワードの不符合が続いた場合に決定データファイルの再生を禁止するようにしても良い。
【０２３８】
本実施例によれば、パーソナルコンピュータＰＣ４からデータファイルをプロジェクタＰＪ４に保存する際に、ネットワークを介してデータファイルを取得するために必要な保存先情報を含むインデックスファイルを生成する。そして、プロジェクタＰＪ４の外部記憶装置１０４１にはファイルサイズの小さなインデックスファイルを格納し、ファイルサイズの大きなデータファイルはネットワーク上のファイルサーバＦＳに格納する構成を備えている。また、インデックスファイルのファイルサイズは、既述のように約１〜２ＫＢである。したがって、プロジェクタＰＪ４は、記憶容量の大きな外部記憶装置１０４１を備える必要がなく、また、外部記憶装置１０４１の記憶容量に拘わらず、ファイルサイズの大きなデータファイルを実質的にプロジェクタＰＪ４に対して転送することができる。すなわち、インデックスファイルはデータファイルの保存先情報等を含むので、プロジェクタＰＪ４の外部記憶装置１０４１にインデックスファイルを転送することで、プロジェクタＰＪ４にデータファイルを転送した場合と同様の実行環境を構築することができる。
【０２３９】
プロジェクタＰＪ４において所望のデータファイルを再生する際には、プロジェクタＰＪ４は、格納したインデックスファイルを用いてデータファイルの保存先であるファイルサーバＦＳを特定し、ファイルサーバＦＳからデータファイルを取得し、再生する。したがって、プロジェクタＰＪ４は、外部記憶装置１０４１にデータファイルを直接格納しなくても、インデックスファイルを格納し、利用することによって、データファイルを外部記憶装置１０４１に格納した場合と同様にしてデータファイルを再生することができる。また、インデックスファイルのファイルサイズは、データファイルのファイルサイズよりも極めて小さいので、より多くのデータファイルをプロジェクタＰＪ４側に格納した場合と同様の効果を、外部記憶装置１０４１の記憶容量を拡張することなく実現することができる。例えば、多人数にてプレゼンテーションを行うような場合であっても、プロジェクタＰＪ４の外部記憶装置１０４１に全てのデータファイルを格納した場合と同様にして、プロジェクタＰＪ４を操作することができる。
【０２４０】
さらに、プロジェクタＰＪ４の外部記憶装置１０４１にインデックスファイルを格納し、ネットワーク上のファイルサーバにデータファイルを格納しておくことにより、パーソナルコンピュータＰＣ４を接続することなく、プロジェクタＰＪ４を単独で用いてプレゼンテーションを実行することができる。これにより、プロジェクタＰＪ４を用いる都度、パーソナルコンピュータＰＣ４を接続する手間を省くことができる。
【０２４１】
また、上記実施例では、パーソナルコンピュータＰＣ４において、表示ディスプレイ１０５４上にてファイルアイコンＦＬをプロジェクタアイコンＰＪにドラッグ・アンド・ドロップすれば、データファイルに基づいてインデックスファイルが自動的に生成される。生成されたインデックスファイルは、プロジェクタＰＪ４に転送・保存し、データファイルは任意の保存先（本実施例ではファイルサーバＦＳ）に転送・保存することができるので、視覚的に簡易にファイル転送・保存操作を実行することができる。また、データファイルの転送に際しては、パスワードを設定することもできるので、データファイルの秘匿性を確保することもできる。
【０２４２】
さらに、上記実施例では、プロジェクタＰＪ４は、パスワードが設定されているデータファイルの再生が指示された場合には、パスワード入力ボックスＰＢを投写表示画面ＳＲ上に表示して設定されたパスワードの入力を促する。また、インデックスファイルに含まれるパスワード情報に基づいて入力されたパスワードと設定されたパスワードとが符合するか否かを判定することにより、データファイルの転送を要求する前にパスワードの認証手続きを完了することができる。したがって、パスワードが符合しない限り、ファイルサーバＦＳからプロジェクタＰＪ４にデータファイルが転送されることはなく、第３者によるデータファイルへのアクセスを防止することができる。また、パスワードが符合しない限り、データファイルは転送されないので、ネットワーク回線ＮＬのトラフィック量を低減することができる。
【０２４３】
Ｄ−４．第４実施例の変形例：
上記実施例では、表示ディスプレイ１０５４上にてファイルアイコンＦＬをプロジェクタアイコンＰＪへドラッグ・アンド・ドロップした場合のデータファイルの転送・保存先をネットワーク上に接続されているファイルサーバＦＳとしたが、端末としての他のパーソナルコンピュータに対して転送・保存するようにしてもよい。
【０２４４】
また、パーソナルコンピュータＰＣ４がＰＣＭＣＩＡスロットを有する場合には、パーソナルコンピュータＰＣ４からのインデックスファイルの転送先をＰＣＭＣＩＡスロットに格納されているＰＣメモリカードとしても良い。かかる場合には、パーソナルコンピュータＰＣ４においてＰＣメモリカードに予めインデックスファイルを転送した後に、プロジェクタＰＪ４にＰＣメモリカードを差し込むことによって、上記実施例と同等の作用効果を得ることができる。
【０２４５】
上記実施例では、単一のデータファイルに対して単一のインデックスファイルを生成する（関連付ける）場合について説明したが、１つのインデックスファイルに対して複数のデータファイルを関連付けても良い。かかる場合には、連続して使用するデータファイルの転送を要求する場合に、複数のインデックスファイルを用いることなく、１つのインデックスファイルを用いて複数のデータファイルの転送を要求することができる。
【０２４６】
上記実施例では、保存場所情報としてデータファイルの保存先ＩＰアドレスＤ１、ディレクトリＤ２、およびファイル名Ｄ３の３つのデータを用いているが、各データファイルに対して１つのディレクトリが割り当てられる場合には、保存場所情報は、保存先ＩＰアドレスＤ１およびディレクトリＤ２によって構成されても良い。いずれにしても、インデックスファイルに基づいてデータファイルを識別（特定）できればよい。
【０２４７】
また、上記実施例では、１〜５の数字を用いてパスワードを設定しているが、この制限は既述のようにリモコン１０４０によって入力可能な数字に対応したに過ぎず、リモコン１０４０によって１〜５以外の数字、文字等が入力できる場合には１〜５以外の数字、文字等を用いてパスワードを設定できることは言うまでもない。例えば、リモコン１０４０に液晶の表示窓を設けておき、ジョイスティック１４０２を用いて文字等のパスワードを入力するようにしても良い。あるいは、無線式キーボード等を用いて各種数字、文字を入力するようにしても良い。
【０２４８】
また、上記実施例における表示ディスプレイ１０５４上の表示画面、並びに、投写表示画面ＳＲは例示に過ぎず、実施に当たっては適宜、変更され得ることは言うまでもない。
【０２４９】
既述のように、上記実施例ではネットワーク端末部に対してＡＳＰ端末部１０２０という名称を用いているが、プロジェクタＰＪ４は必ずしもＡＳＰ端末である必要あるいはＡＳＰ端末と呼ばれる必要はない。例えば、ネットワークを介してアプリケーション・データ（ファイル）を受け取り、ビュワーアプリケーションあるいはアプリケーションによってファイルを開いてその表示画面を投写してもよい。かかる場合には、プロジェクタＰＪ４側でファイル形式を判断して自動的に最適なビュワーを起動してもよく、あるいは、サーバからプロジェクタＰＪ４に対してファイルと共に適切なビュワーを起動させる起動コマンドを同時に供給してもよい。
【０２５０】
上記実施例では、ＡＳＰ端末部１０２０およびプロジェクタ部１０３０にそれぞれＣＰＵ、ＲＡＭ、ＲＯＭを備えているが、ＡＳＰ端末部１０２０にのみ備えるようにしてもよい。かかる場合には、ＡＳＰ端末部１０２０におけるＣＰＵがプロジェクタ部１０３０の制御を実行する。
【０２５１】
また、上記実施例では、プロジェクタ部１０３０において、外部映像信号入力端子１３１２、および外部音声信号入力端子１３２２が備えられているが、ネットワーク接続専用プロジェクタとする場合には、省略してもよい。かかる場合にはネットワーク回線ＮＬを介して、画像データ、音声データが供給されるからである。
【０２５２】
上記実施例では、種々のインタフェース・コントローラが備えられているが、ネットワーク・インタフェース・コントローラ１２２０を除いて、適宜省略可能であることはいうまでもない。
【０２５３】
以上、各実施例に基づき本発明を説明したが、この発明は上記の実施例や実施形態に限られるものではなく、その要旨を逸脱しない範囲において種々の態様において実施することが可能であり、例えば次のような変形も可能である。
【０２５４】
（１）上記各実施例では、プロジェクタ（すなわち投写型表示装置）は、電気光学装置として液晶ライトバルブを備えているが、これに代えて、マイクロミラー型光変調装置やＣＲＴなどを備えるようにしてもよい。マイクロミラー型光変調装置としては、例えば、ＤＭＤ（デジタルマイクロミラーデバイス）（ＴＩ社の商標）を用いることができる。電気光学装置としては、画像データに応じて画像光を形成するようなものであればよい。
【０２５５】
（２）上記各実施例において、ハードウェアによって実現されていた構成の一部をソフトウェアに置き換えるようにしてもよく、逆に、ソフトウェアによって実現されていた構成の一部をハードウェアに置き換えるようにしてもよい。
【０２５６】
産業上の利用可能性
この発明は、例えば、画像を投写表示可能な種々のプロジェクタに適用可能である。
【図１】
2011129140.tif 000003
【図２】
2011129140.tif 000004
【図３】
2011129140.tif 000005
【図４】
2011129140.tif 000006
【図５】
2011129140.tif 000007
【図６】
2011129140.tif 000008
【図７】
2011129140.tif 000009
【図８】
2011129140.tif 000010
【図９】
2011129140.tif 000011
【図１０】
2011129140.tif 000012
【図１１】
2011129140.tif 000013
【図１２】
2011129140.tif 000014
【図１３】
2011129140.tif 000015
【図１４】
2011129140.tif 000016
【図１５】
2011129140.tif 000017
【図１６】
2011129140.tif 000018
【図１７】
2011129140.tif 000019
【図１８】
2011129140.tif 000020
【図１９】
2011129140.tif 000021
【図２０】
2011129140.tif 000022
【図２１】
2011129140.tif 000023
【図２２】
2011129140.tif 000024
【図２３】
2011129140.tif 000025
【図２４】
2011129140.tif 000026
【図２５】
2011129140.tif 000027
【図２６】
2011129140.tif 000028
【図２７】
2011129140.tif 000029
【図２８】
2011129140.tif 000030
【図２９】
2011129140.tif 000031
【図３０】
2011129140.tif 000032
【図３１】
2011129140.tif 000033
【図３２】
2011129140.tif 000034
【図３３】
2011129140.tif 000035
【手続補正書】
【提出日】平成23年2月2日(2011.2.2)
【手続補正１】
【補正対象書類名】特許請求の範囲
【補正対象項目名】全文
【補正方法】変更
【補正の内容】
【特許請求の範囲】
【請求項１】
ページ毎の画像情報と当該画像情報を再生する順番を定義したシナリオ情報とを含む素材ファイルを用いて画像を投写表示すると共に供給される操作情報に基きポインタ画像を投写表示するプロジェクタとネットワークを介して接続され、前記操作情報と前記素材ファイルとを前記プロジェクタに供給する素材ファイル供給装置であって、
ポインティングデバイスを含む入力部と、
ユーザによる前記ポインティングデバイスの操作を検出し、検出結果に基づいて操作情報を生成する操作情報生成部と、
表示部と、
前記素材ファイルを前記ネットワークを介して前記プロジェクタに供給する素材ファイル供給部と、
を備え、
前記操作情報生成部は、
前記素材ファイル供給部が前記ネットワークを介して前記素材ファイルを前記プロジェクタに供給すると、前記ポインティングデバイスの操作に伴う前記操作情報を生成するための領域である操作情報生成領域を前記表示部に表示させ、
前記操作情報生成領域内に、前記ポインティングデバイスに対応するポインタ画像が表示される場合にのみ、前記ポインティングデバイスの操作に伴う前記操作情報を生成して前記ネットワークを介して前記プロジェクタに供給する
ことを特徴とする素材ファイル供給装置。
【請求項２】
前記操作情報生成部は、前記プロジェクタの解像度に応じて、前記プロジェクタにより投写される原画像の画像領域と前記操作情報生成領域とを対応付ける、請求項１に記載の素材ファイル供給装置。
【請求項３】
前記操作情報生成部は、前記プロジェクタから終了情報が供給されると、前記操作情報の生成を終了する、請求項１または２に記載の素材ファイル供給装置。
【請求項４】
前記操作情報生成部は、前記素材ファイル供給部が前記ネットワークを介して前記素材ファイルを前記プロジェクタに供給した後、前記ポインティングデバイスに設けられたスイッチがクリックされた場合、前記プロジェクタに前記画像情報のページ送りをさせるように前記操作情報を生成する、請求項１から３のいずれか一項に記載の素材ファイル供給装置。
【請求項５】
ページ毎の画像情報と当該画像情報を再生する順番を定義したシナリオ情報とを含む素材ファイルを用いて画像を投写表示するとともに供給される操作情報に基きポインタ画像を投写表示するプロジェクタとネットワークを介して接続され、前記操作情報と前記素材ファイルとを前記プロジェクタに供給する素材ファイル供給方法であって、
前記素材ファイルを前記ネットワークを介して前記プロジェクタに供給する工程と、
前記素材ファイル供給部が前記ネットワークを介して前記素材ファイルを前記プロジェクタに供給すると、ユーザによるポインティングデバイスの操作を検出し、検出結果に基づき前記操作情報を生成するための領域である操作情報生成領域を表示部に表示させる工程と、
前記操作情報生成領域内に、前記ポインティングデバイスに対応するポインタ画像が表示される場合にのみ、前記ポインティングデバイスの操作に伴う前記操作情報を生成して前記ネットワークを介して前記プロジェクタに供給する工程と、
を備えることを特徴とする素材ファイル供給方法。
【請求項６】
ページ毎の画像情報と当該画像情報を再生する順番を定義したシナリオ情報とを含む素材ファイルを用いて画像を投写表示すると共に供給される操作情報に基きポインタ画像を投写表示するプロジェクタとネットワークを介して接続され、前記操作情報と前記素材ファイルとを前記プロジェクタに供給する素材ファイル供給プログラムを記録するコンピュータ読み取り可能媒体であって、前記素材ファイル供給プログラムは、
前記素材ファイルを前記ネットワークを介して前記プロジェクタに供給する機能と、
前記素材ファイル供給部が前記ネットワークを介して前記素材ファイルを前記プロジェクタに供給すると、ユーザによるポインティングデバイスの操作を検出し、検出結果に基づき前記操作情報を生成するための領域である操作情報生成領域を表示部に表示させる機能と、
前記操作情報生成領域内に、前記ポインティングデバイスに対応するポインタ画像が表示される場合にのみ、前記ポインティングデバイスの操作に伴う前記操作情報を生成して前記ネットワークを介して前記プロジェクタに供給する機能と、
をコンピュータによって実現させる、コンピュータ読み取り可能媒体。